(57)【要約】【課題】光源の切り替えに伴って映像コンテンツの提示が途切れないようにすることができる投写型映像表示装置及び映像表示システムを提供する。【解決手段】プロジェクタ２は、映像を表示するための第１のランプ２１ａ及び第２のランプ２１ｂと、第１のランプ２１ａ及び第２のランプ２１ｂの点灯を制御する制御部５４とを備えており、第１のランプ２１ａ及び第２のランプ２１ｂを点灯させる点灯時間が設定され、制御部５４は、設定された点灯時間に基づいて第１のランプ２１ａ及び第２のランプ２１ｂを切り替えて点灯させる制御を行う。そして、プロジェクタ２において、複数回点灯される第１のランプ２１ａ及び第２のランプ２１ｂの各点灯時における点灯時間が、個別に設定される。【選択図】図３
2011050018.tif 000002
【特許請求の範囲】
【請求項１】
映像を表示するための複数の光源と、前記光源の点灯を制御する制御部とを備え、前記光源を点灯させる点灯時間が設定され、前記制御部は、設定された前記点灯時間に基づいて前記光源を切り替えて点灯させる制御を行う投写型映像表示装置において、
複数回点灯される前記光源の各点灯時における前記点灯時間が、個別に設定されることを特徴とする投写型映像表示装置。
【請求項２】
全ての前記光源について、各点灯時における前記点灯時間が個別に設定可能であることを特徴とする請求項１に記載の投写型映像表示装置。
【請求項３】
ユーザにより操作される操作部を備え、前記操作部が操作されることにより前記点灯時間が設定されることを特徴とする請求項１または請求項２に記載の投写型映像表示装置。
【請求項４】
前記操作部が操作されることにより、前記点灯時間において点灯すべき前記光源が設定され、前記制御部は、設定された前記点灯時間において、設定された前記光源を点灯させることを特徴とする請求項３に記載の投写型映像表示装置。
【請求項５】
前記操作部が操作されることにより、前記光源を点灯させるタイミングが設定され、前記制御部は、設定された前記タイミングに基づいて、前記光源を切り替えて点灯させる制御を行うことを特徴とする請求項３または請求項４に記載の投写型映像表示装置。
【請求項６】
前記点灯時間を示す信号が外部から入力される信号入力部を備え、前記信号入力部に前記信号が入力されることにより前記点灯時間が設定されることを特徴とする請求項１乃至請求項５のいずれか一項に記載の投写型映像表示装置。
【請求項７】
設定される前記点灯時間についての情報が記憶される記憶部を備え、前記制御部は、前記光源を切り替えて点灯させる制御を、前記記憶部に記憶された情報に基づいて行うことを特徴とする請求項１乃至請求項６のいずれか一項に記載の投写型映像表示装置。
【請求項８】
切り替えられて点灯する前記光源の点灯パターンの少なくとも一部を、繰り返しパターンとして繰り返すか否かが設定され、
前記制御部は、前記点灯パターンの少なくとも一部を繰り返しパターンとして繰り返すことが設定されている場合には、前記繰り返しパターンが繰り返されるように、前記光源を切り替えて点灯させる制御を行う
ことを特徴とする請求項１乃至請求項７のいずれか一項に記載の投写型映像表示装置。
【請求項９】
前記繰り返しパターンが繰り返される繰り返し回数が設定され、
前記制御部は、前記繰り返し回数だけ前記繰り返しパターンが繰り返されるように、前記光源を切り替えて点灯させる制御を行う
ことを特徴とする請求項８に記載の投写型映像表示装置。
【請求項１０】
前記光源の点灯方式が設定される点灯モードとして、設定された前記点灯時間に基づいて前記光源が切り替えられて点灯される自動切替モードと、ユーザの操作入力時に前記光源が切り替えられて点灯される手動切替モードとを有し、
前記自動切替モードと前記手動切替モードとが選択可能であることを特徴とする請求項１乃至請求項９のいずれか一項に記載の投写型映像表示装置。
【請求項１１】
前記光源の点灯方式が設定される点灯モードとして、外部機器から入力される信号に基づいて、前記光源が切り替えられて点灯される遠隔制御モードを有することを特徴とする請求項１乃至請求項１０のいずれか一項に記載の投写型映像表示装置。
【請求項１２】
前記光源の点灯開始時において、点灯を開始した前記光源の照度が安定するまでの間は、所定の映像を表示し、前記光源の照度が安定した後に、表示する映像を切り替えることを特徴とする請求項１乃至請求項１１のいずれか一項に記載の投写型映像表示装置。
【請求項１３】
映像を表示するための複数の光源と、前記光源の点灯を制御する制御部とを備え、前記光源を点灯させる点灯時間が設定され、前記制御部は、設定された前記点灯時間に基づいて前記光源を切り替えて点灯させる制御を行う投写型映像表示装置において、
前記点灯時間として、表示される映像の再生時間に応じた点灯時間が設定されることを特徴とする投写型映像表示装置。
【請求項１４】
映像を投写して表示する投写型映像表示装置と、前記投写型映像表示装置を制御する制御装置とを備える映像表示システムにおいて、
前記投写型映像表示装置は、映像を表示するための複数の光源を備え、
前記制御装置は、表示される映像に応じて前記光源を切り替えて点灯させるように前記投写型映像表示装置を制御する
ことを特徴とする映像表示システム。
【請求項１５】
前記制御装置は、ユーザにより操作される操作部を備え、前記操作部が操作されることにより、複数回点灯される前記光源の各点灯時における点灯時間が個別に設定され、
前記制御装置は、前記点灯時間を示す信号を前記投写型映像表示装置に出力し、前記点灯時間を示す信号に基づいて前記光源が点灯されることを特徴とする請求項１４に記載の映像表示システム。
【請求項１６】
前記操作部が操作されることにより、前記点灯時間において点灯すべき前記光源が設定され、前記制御装置は、設定された前記点灯時間において、設定された前記光源を点灯させるように前記投写型映像表示装置を制御することを特徴とする請求項１５に記載の映像表示システム。
【請求項１７】
前記操作部が操作されることにより、前記光源を点灯させるタイミングが設定され、前記制御装置は、設定された前記タイミングに基づいて、前記光源を切り替えて点灯させるように前記投写型映像表示装置を制御することを特徴とする請求項１５または請求項１６に記載の映像表示システム。
【請求項１８】
前記点灯時間において前記投写型映像表示装置に表示させる映像が設定され、前記投写型映像表示装置は、設定された前記点灯時間において、設定された映像を表示することを特徴とする請求項１４乃至請求項１７のいずれか一項に記載の映像表示システム。
【請求項１９】
前記投写型映像表示装置に映像信号を出力する映像信号出力装置を備え、
前記制御装置は、設定された前記点灯時間において、設定された映像に対応する映像信号を出力するように前記映像信号出力装置を制御する
ことを特徴とする請求項１８に記載の映像表示システム。
【請求項２０】
前記点灯時間において映像コンテンツを繰り返し提示するか否かが設定され、
映像コンテンツが繰り返し提示することが設定されている場合には、前記点灯時間において、設定された映像が繰り返し再生されて表示される
ことを特徴とする請求項１８または請求項１９に記載の映像表示システム。
【請求項２１】
前記光源の点灯開始時において、点灯を開始した前記光源の照度が安定するまでの間は、所定の映像を表示し、前記光源の照度が安定した後に、表示する映像を切り替えることが設定されることを特徴とする請求項１４乃至請求項２０のいずれか一項に記載の映像表示システム。
【発明の詳細な説明】
【技術分野】
【０００１】
本願発明は、映像表示用の複数の光源を備えた投写型映像表示装置及びこれを利用する映像表示システムに関するものである。
【背景技術】
【０００２】
映像を投写して表示する投写型映像表示装置として、複数の光源を備えたプロジェクタが知られている。例えば、プロジェクタが、映像表示用の光源として２つのランプを備えることが知られており、２つのランプを切り替えて点灯させることにより、長時間に亘って投写型映像表示装置を使用することができる。
【０００３】
また、複数の光源の点灯時間が設定可能な投写型映像表示装置が知られている（例えば、特許文献１参照）。
特許文献１には、複数の光源の累積点灯時間を平均化させることなく光源の寿命を延ばすために、例えば、第１光源の単位点灯時間が１１時間に設定され、第２光源の単位点灯時間が１時間に設定されることが記載されている。このように点灯時間が設定されることにより、複数の光源は一定のパターンで交互に点灯する。
【先行技術文献】
【特許文献】
【０００４】
【特許文献１】特開２００６−３９３２９号公報
【発明の概要】
【発明が解決しようとする課題】
【０００５】
ところで、ショッピングモールや映画館等の商業施設や公共施設において広告等を表示する手法として、電子機器である映像表示装置を用いたデジタルサイネージが知られている。一般に、デジタルサイネージにおいては、複数の映像コンテンツ（例えば、商品の宣伝や施設の紹介等）が視聴者に対して順次提示される。このように提示される映像コンテンツの時間的な長さは、その映像コンテンツに応じて様々であり、例えば、３０分間に亘る映像コンテンツもあれば、１時間に亘る映像コンテンツもある。
【０００６】
上記のようなデジタルサイネージにおいて、映像を拡大投写して表示することができる投写型映像表示装置は有効に活用される。また、長時間に亘って映像を表示することが求められるデジタルサイネージにおいては、上述のごとく複数の光源を備えたプロジェクタを特に有効に活用することができる。
【０００７】
しかしながら、光源の切り替えに時間を要する場合があり、特許文献１に記載されているような光源が一定のパターンで点灯する投写型映像表示装置を用いた場合には、映像コンテンツを提示している状態において光源が切り替えられる。従って、映像コンテンツの提示中にランプの切り替えが行われてしまうことにより、映像が表示されなくなり、その結果、光源の切り替えに伴って映像コンテンツの提示が途切れるという問題がある。
【０００８】
本発明は、こうした実情に鑑みてなされたものであり、その目的は、光源の切り替えに伴って映像コンテンツの提示が途切れないようにすることができる投写型映像表示装置及び映像表示システムを提供することにある。
【課題を解決するための手段】
【０００９】
以下、上記目的を達成するための手段及びその作用効果について記載する。
請求項１に記載の発明は、映像を表示するための複数の光源と、光源の点灯を制御する制御部とを備え、光源を点灯させる点灯時間が設定され、制御部は、設定された点灯時間に基づいて光源を切り替えて点灯させる制御を行う投写型映像表示装置において、複数回点灯される光源の各点灯時における点灯時間が、個別に設定されることを特徴とする。
【００１０】
同構成によれば、光源の各点灯時における点灯時間が、個別に設定されるため、点灯時間の設定の自由度が高く、光源の点灯パターンを柔軟に設定することができる。従って、光源の点灯パターンを、一定の点灯パターンではなく、投写型映像表示装置を用いて提示される種々の映像コンテンツに応じた点灯パターンとすることが可能となる。その結果、映像コンテンツの区切りと光源の切り替えとを同期させることが可能となり、光源の切り替えに伴って映像コンテンツの提示が途切れないようにすることができる。
【００１１】
請求項２に記載の発明は、請求項１に記載の投写型映像表示装置であって、全ての光源について、各点灯時における点灯時間が個別に設定可能であることを特徴とする。
同構成によれば、全ての光源について、各点灯時における点灯時間が個別に設定可能であるため、全ての光源の点灯パターンを柔軟に設定することができる。
【００１２】
請求項３に記載の発明は、請求項１または請求項２に記載の投写型映像表示装置であって、ユーザにより操作される操作部を備え、操作部が操作されることにより点灯時間が設定されることを特徴とする。
【００１３】
同構成によれば、ユーザにより操作される操作部を備え、操作部が操作されることにより点灯時間が設定される。このため、投写型映像表示装置が備える操作部をユーザが操作することにより、点灯時間を設定できる。
【００１４】
請求項４に記載の発明は、請求項３に記載の投写型映像表示装置であって、操作部が操作されることにより、点灯時間において点灯すべき光源が設定され、制御部は、設定された点灯時間において、設定された光源を点灯させることを特徴とする。
【００１５】
同構成によれば、操作部が操作されることにより、ユーザにより設定された点灯時間において点灯すべき光源が設定され、制御部は、設定された点灯時間において、操作部が操作されることにより設定された光源を点灯させる。このため、光源の点灯パターンをより柔軟に設定することができ、複数の光源の点灯パターンを、ユーザが所望する順序で光源が点灯する点灯パターンとすることができる。
【００１６】
請求項５に記載の発明は、請求項３または請求項４に記載の投写型映像表示装置であって、操作部が操作されることにより、光源を点灯させるタイミングが設定され、制御部は、設定されたタイミングに基づいて、光源を切り替えて点灯させる制御を行うことを特徴とする。
【００１７】
同構成によれば、操作部が操作されることにより、光源を点灯させるタイミングが設定され、制御部は、設定されたタイミングに基づいて、光源を切り替えて点灯させる制御を行う。このため、光源の点灯パターンをより一層柔軟に設定することができ、光源の点灯パターンを、ユーザが所望するタイミングで光源が点灯する点灯パターンとすることができる。
【００１８】
請求項６に記載の発明は、請求項１乃至請求項５のいずれか一項に記載の投写型映像表示装置であって、点灯時間を示す信号が外部から入力される信号入力部を備え、信号入力部に信号が入力されることにより点灯時間が設定されることを特徴とする。
【００１９】
同構成によれば、点灯時間を示す信号が外部から入力される信号入力部を備え、信号入力部に点灯時間を示す信号が入力されることにより点灯時間が設定される。このため、投写型映像表示装置に接続される外部機器から点灯時間を示す信号を信号入力部に入力することにより、点灯時間を設定できる。
【００２０】
請求項７に記載の発明は、請求項１乃至請求項６のいずれか一項に記載の投写型映像表示装置であって、設定される点灯時間についての情報が記憶される記憶部を備え、制御部は、光源を切り替えて点灯させる制御を、記憶部に記憶された情報に基づいて行うことを特徴とする。
【００２１】
同構成によれば、制御部は、光源を切り替えて点灯させる制御を、記憶部に記憶された情報（即ち、設定された点灯時間についての情報）に基づいて行う。従って、点灯時間についての情報が記憶部に記憶されていることにより、光源を切り替えて点灯させる制御が行われるため、光源を切り替えて点灯させるタイミングで、投写型映像表示装置を外部から制御する必要がない。
【００２２】
請求項８に記載の発明は、請求項１乃至請求項７のいずれか一項に記載の投写型映像表示装置であって、切り替えられて点灯する光源の点灯パターンの少なくとも一部を、繰り返しパターンとして繰り返すか否かが設定され、制御部は、点灯パターンの少なくとも一部を繰り返しパターンとして繰り返すことが設定されている場合には、繰り返しパターンが繰り返されるように、光源を切り替えて点灯させる制御を行うことを特徴とする。
【００２３】
同構成によれば、光源の点灯パターンの少なくとも一部を、繰り返しパターンとして繰り返すか否かが設定され、制御部は、点灯パターンの少なくとも一部を繰り返すことが設定されている場合には、繰り返しパターンが繰り返されるように、光源を切り替えて点灯させる制御を行う。このため、光源の点灯パターンに含まれる所定の点灯パターンを繰り返す場合に、光源の各点灯時における点灯時間を個別に設定する手間を省くことができる。
【００２４】
請求項９に記載の発明は、請求項８に記載の投写型映像表示装置であって、繰り返しパターンが繰り返される繰り返し回数が設定され、制御部は、繰り返し回数だけ繰り返しパターンが繰り返されるように、光源を切り替えて点灯させる制御を行うことを特徴とする。
【００２５】
同構成によれば、繰り返しパターンが繰り返される繰り返し回数が設定され、制御部は、設定された繰り返し回数だけ繰り返しパターンが繰り返されるように、光源を切り替えて点灯させる制御を行う。このため、点灯パターンに含まれる所定の点灯パターンを、ユーザが所望する回数だけ繰り返すことができる。
【００２６】
請求項１０に記載の発明は、請求項１乃至請求項９のいずれか一項に記載の投写型映像表示装置であって、光源の点灯方式が設定される点灯モードとして、設定された点灯時間に基づいて光源が切り替えられて点灯される自動切替モードと、ユーザの操作入力時に光源が切り替えられて点灯される手動切替モードとを有し、自動切替モードと手動切替モードとが選択可能であることを特徴とする。
【００２７】
同構成によれば、光源の点灯方式が設定される点灯モードとして、設定された点灯時間に基づいて光源が切り替えられて点灯される自動切替モードと、ユーザの操作入力時に光源が切り替えられて点灯される手動切替モードとが選択可能である。このため、投写型映像表示装置の用途に応じて、ユーザが所望する点灯モードを選択することができる。
【００２８】
請求項１１に記載の発明は、請求項１乃至請求項１０のいずれか一項に記載の投写型映像表示装置であって、光源の点灯方式が設定される点灯モードとして、外部機器から入力される信号に基づいて、光源が切り替えられて点灯される遠隔制御モードを有することを特徴とする。
【００２９】
同構成によれば、光源の点灯方式が設定される点灯モードとして、外部機器から入力される信号に基づいて、光源が切り替えられて点灯される遠隔制御モードを有するため、投写型映像表示装置における光源の切り替えを遠隔制御することができる。
【００３０】
請求項１２に記載の発明は、請求項１乃至請求項１１のいずれか一項に記載の投写型映像表示装置であって、光源の点灯開始時において、点灯を開始した光源の照度が安定するまでの間は、所定の映像を表示し、光源の照度が安定した後に、表示する映像を切り替えることを特徴とする。
【００３１】
同構成によれば、光源の点灯開始時において、点灯を開始した光源の照度が安定するまでの間は、所定の映像を表示し、光源の照度が安定した後に、表示する映像を切り替える。従って、例えば、点灯を開始した光源の照度が安定するまでの間は、商品及びサービスの宣伝や施設の紹介を目的としない映像を表示し、光源の照度が安定した後に、商品及びサービスの宣伝や施設の紹介を目的とする映像に切り替えられる。このため、光源の照度が安定しない状態において、商業目的の映像コンテンツが提示されないようにすることができる。仮に、光源が点灯を開始した直後から映像を再生すると、照度が十分でない期間に表示された映像が見えにくく、その結果、視聴者に伝えたい情報が伝わらない等の不利益が生じるおそれがある。
【００３２】
請求項１３に記載の発明は、映像を表示するための複数の光源と、光源の点灯を制御する制御部とを備え、光源を点灯させる点灯時間が設定され、制御部は、設定された点灯時間に基づいて光源を切り替えて点灯させる制御を行う投写型映像表示装置において、点灯時間として、表示される映像の再生時間に応じた点灯時間が設定されることを特徴とする。
【００３３】
同構成によれば、光源を点灯させる点灯時間として、投写型映像表示装置により表示される映像の再生時間に応じた点灯時間が設定される。このため、光源の点灯パターンを、一定の点灯パターンではなく、投写型映像表示装置を用いて提示される種々の映像コンテンツに応じた点灯パターンとすることができる。その結果、映像コンテンツの区切りと光源の切り替えとを同期させることができ、光源の切り替えに伴って映像コンテンツの提示が途切れないようにすることができる。
【００３４】
請求項１４に記載の発明は、映像を投写して表示する投写型映像表示装置と、投写型映像表示装置を制御する制御装置とを備える映像表示システムにおいて、投写型映像表示装置は、映像を表示するための複数の光源を備え、制御装置は、表示される映像に応じて光源を切り替えて点灯させるように投写型映像表示装置を制御することを特徴とする。
【００３５】
同構成によれば、表示される映像に応じて光源を切り替えて点灯させるように投写型映像表示装置が制御される。従って、光源の点灯パターンを、一定の点灯パターンではなく、投写型映像表示装置を用いて提示される種々の映像コンテンツに応じた点灯パターンとすることができる。その結果、映像コンテンツの区切りと光源の切り替えとを同期させることができ、光源の切り替えに伴って映像コンテンツの提示が途切れないようにすることができる。
【００３６】
請求項１５に記載の発明は、請求項１４に記載の映像表示システムであって、制御装置は、ユーザにより操作される操作部を備え、操作部が操作されることにより、複数回点灯される光源の各点灯時における点灯時間が個別に設定され、制御装置は、点灯時間を示す信号を投写型映像表示装置に出力し、点灯時間を示す信号に基づいて光源が点灯されることを特徴とする。
【００３７】
同構成によれば、制御装置は、ユーザにより操作される操作部を備え、操作部が操作されることにより、複数回点灯される光源の各点灯時における点灯時間が、個別に設定される。このため、制御装置の操作部をユーザが操作することにより、複数回点灯される光源の各点灯時における点灯時間を個別に設定できる。そして、制御装置は、点灯時間を示す信号を投写型映像表示装置に出力し、点灯時間を示す信号に基づいて光源が点灯されるため、投写型映像表示装置における光源の切り替えを遠隔制御することができる。
【００３８】
請求項１６に記載の発明は、請求項１５に記載の映像表示システムであって、操作部が操作されることにより、点灯時間において点灯すべき光源が設定され、制御装置は、設定された点灯時間において、設定された光源を点灯させるように投写型映像表示装置を制御することを特徴とする。
【００３９】
同構成によれば、操作部が操作されることにより、点灯時間において点灯させる光源が設定され、設定された点灯時間において、設定された光源を点灯させるように投写型映像表示装置が制御される。このため、複数の光源の点灯パターンを、ユーザが所望する順序で光源が点灯する点灯パターンとすることができる。
【００４０】
請求項１７に記載の発明は、請求項１５または請求項１６に記載の映像表示システムであって、操作部が操作されることにより、光源を点灯させるタイミングが設定され、制御装置は、設定されたタイミングに基づいて、光源を切り替えて点灯させるように投写型映像表示装置を制御することを特徴とする。
【００４１】
同構成によれば、操作部が操作されることにより、光源を点灯させるタイミングが設定され、設定されたタイミングに基づいて、光源を切り替えて点灯させるように投写型映像表示装置が制御される。このため、光源の点灯パターンを、ユーザが所望するタイミングで光源が点灯する点灯パターンとすることができる。
【００４２】
請求項１８に記載の発明は、請求項１４乃至請求項１７のいずれか一項に記載の映像表示システムであって、点灯時間において投写型映像表示装置に表示させる映像が設定され、投写型映像表示装置は、設定された点灯時間において、設定された映像を表示することを特徴とする。
【００４３】
同構成によれば、設定される点灯時間において投写型映像表示装置に表示させる映像が設定され、投写型映像表示装置は、設定された点灯時間において、設定された映像を表示する。このため、設定された点灯時間において、投写型映像表示装置が表示する映像をユーザが指定することができる。
【００４４】
請求項１９に記載の発明は、請求項１８に記載の映像表示システムであって、投写型映像表示装置に映像信号を出力する映像信号出力装置を備え、制御装置は、設定された点灯時間において、設定された映像に対応する映像信号を出力するように映像信号出力装置を制御することを特徴とする。
【００４５】
同構成によれば、投写型映像表示装置に映像信号を出力する映像信号出力装置を備え、設定された点灯時間において、設定された映像に対応する映像信号を出力するように映像信号出力装置が制御される。このため、例えば、映像信号出力装置から複数の投写型映像表示装置に映像信号を出力することにより、複数の投写型映像表示装置に同じ映像を表示させることが可能となる。
【００４６】
請求項２０に記載の発明は、請求項１８または請求項１９に記載の映像表示システムであって、点灯時間において映像コンテンツを繰り返し提示するか否かが設定され、映像コンテンツが繰り返し提示することが設定されている場合には、点灯時間において、設定された映像が繰り返し再生されて表示されることを特徴とする。
【００４７】
同構成によれば、設定された点灯時間において映像コンテンツを繰り返し提示するか否かが設定され、映像コンテンツが繰り返し提示することが設定されている場合には、設定された点灯時間において、設定された映像が繰り返し再生されて表示される。このため、設定された点灯時間内に映像の再生が終了した場合であっても、映像コンテンツを再度提示することができる。
【００４８】
請求項２１に記載の発明は、請求項１４乃至請求項２０のいずれか一項に記載の映像表示システムであって、光源の点灯開始時において、点灯を開始した光源の照度が安定するまでの間は、所定の映像を表示し、光源の照度が安定した後に、表示する映像を切り替えることが設定されることを特徴とする。
【００４９】
同構成によれば、光源の点灯開始時において、点灯を開始した光源の照度が安定するまでの間は、所定の映像を表示し、光源の照度が安定した後に、表示する映像を切り替えることが設定される。従って、このような設定に基づき、例えば、点灯を開始した光源の照度が安定するまでの間は、商品及びサービスの宣伝や施設の紹介を目的としない映像を表示し、光源の照度が安定した後に、商品及びサービスの宣伝や施設の紹介を目的とする映像に切り替えることができる。その結果、光源の照度が安定しない状態において、商業目的の映像コンテンツが提示されないようにすることができる。
【発明の効果】
【００５０】
本発明によれば、光源の切り替えに伴って映像コンテンツの提示が途切れないようにすることができる。
【図面の簡単な説明】
【００５１】
【図１】本発明の第１の実施形態に係る映像表示システムの構成を示すブロック図。
【図２】本発明の実施形態に係るコンピュータの概略構成を示すブロック図。
【図３】本発明の実施形態に係るプロジェクタの概略構成を示すブロック図。
【図４】本発明の実施形態に係るランプを備えたランプユニットの概略構成を示すブロック図。
【図５】本発明の第１の実施形態において、ユーザにより点灯プログラムが設定される際のプロジェクタの動作の流れを示すフローチャート。
【図６】設定されたランプの点灯プログラムの一例を示す表。
【図７】本発明の第１の実施形態において、ユーザにより繰り返しパターンが設定される際のプロジェクタの動作の流れを示すフローチャート。
【図８】設定された繰り返しパターンに関する情報の一例を示す表。
【図９】本発明の第１の実施形態において、ランプを切り替える制御を行う際のプロジェクタの動作の流れを示すフローチャート。
【図１０】本発明の第１の実施形態において、繰り返し処理を行う際のプロジェクタの動作の流れを示すフローチャート。
【図１１】本発明の第２の実施形態に係る映像表示システムの構成を示すブロック図。
【図１２】本発明の実施形態に係る映像再生装置の概略構成を示すブロック図。
【図１３】本発明の第２の実施形態において、ユーザにより制御プログラムが設定される際のコンピュータの動作の流れを示すフローチャート。
【図１４】設定された制御プログラムの一例を示す表。
【図１５】本発明の第２の実施形態において、点灯プログラムが設定される際のプロジェクタの動作の流れを示すフローチャート。
【図１６】プロジェクタの記憶部に記憶された点灯プログラムの一例を示す表。
【図１７】本発明の第２の実施形態において、映像信号を出力する際の映像再生装置の動作の流れを示すフローチャート。
【図１８】本発明の第２の実施形態において、ランプを切り替える制御を行う際のプロジェクタの動作の流れを示すフローチャート。
【発明を実施するための形態】
【００５２】
（第１の実施形態）
図１に示すように、本実施形態に係る映像表示システムは、制御装置としてのコンピュータ１と、投写型映像表示装置としてのプロジェクタ２とを備えている。以下、本発明に係る第１の実施形態について、図１〜図１０を参照しながら説明する。
【００５３】
図２に示すように、コンピュータ１は、種々の機能を発揮するためにコンピュータ１内の各部を制御する制御部１１と、プログラム等の情報が記憶された記憶部１２と、映像信号を出力する映像信号出力部１３と、ユーザにより操作される操作部１４と、映像を表示する表示部１５と、制御信号を出力する制御信号入出力部１６とを備えている。このような構成要素を備えたコンピュータ１は、汎用の電子機器であるＰＣ（Personal Computer）等により構成される。
【００５４】
制御部１１は、コンピュータ１内の各部に制御信号等を出力する集積回路である。具体的には、制御部１１は、例えばＣＰＵ（Central Processor Unit）により構成され、記憶部１２に記憶されたプログラムを制御部１１が実行することにより、そのプログラムに基づきコンピュータ１の各部を制御するための信号が制御部１１から出力される。
【００５５】
記憶部１２は、例えばハードディスクドライブやフラッシュメモリ等の記憶装置により構成される。記憶部１２には、制御部１１が実行するプログラム、プロジェクタ２に表示させる映像の情報、及びプロジェクタ２を制御するための情報等が記憶される。
【００５６】
映像信号出力部１３は、コンピュータ１の外部へ映像信号を出力するためのＨＤＭＩ（High-Definition Multimedia Interface）端子やＶＧＡ端子等により構成される。記憶部１２に記憶されている映像の情報や、表示部１５に表示される映像の情報が、映像信号として映像信号出力部１３からプロジェクタ２に出力されるように構成されている。
【００５７】
操作部１４は、例えばユーザの操作が入力されるキーボードやマウス等により構成される。操作部１４が操作されることにより各種信号が制御部１１に入力され、操作部１４が操作されることに基づいて、制御部１１は操作部１４の操作内容に応じた制御を行う。
【００５８】
表示部１５は、コンピュータ１のユーザに対して映像を表示するためのディスプレイである。映像信号出力部１３から出力される映像信号が示す映像を、表示部１５に表示させることにより、プロジェクタ２によって表示される映像を、表示部１５を参照しても確認することができる。
【００５９】
制御信号入出力部１６は、例えばＬＡＮ（Local Area Network）ケーブルが接続されるＬＡＮ端子、ＲＳ−２３２Ｃ端子、ＵＳＢ（Universal Serial Bus）端子等により構成される。プロジェクタ２を制御するための信号が、制御信号入出力部１６からプロジェクタ２に出力されるように構成されている。
【００６０】
図３に示すように、スクリーン等の平面上に映像を投写して表示することができるプロジェクタ２は、映像を投写して表示するための光学部品として、複数の光源であるランプ２１と、光学経路を切り替える光路切替装置２４と、光を用いて映像を生成する映像生成部２５と、映像を拡大して投写する投写レンズ２６とを備えている。プロジェクタ２が映像を投写して表示することにより、映像コンテンツが提示される。
【００６１】
本実施形態においては、プロジェクタ２は、複数のランプ２１として、第１のランプ２１ａと第２のランプ２１ｂとを備えている。即ち、第１のランプ２１ａは、映像表示用の第１の光源であって、第２のランプ２１ｂは、映像表示用の第２の光源である。第１のランプ２１ａ及び第２のランプ２１ｂは、それぞれ、超高圧水銀ランプやメタルハライドランプ等の放電ランプにより構成され、ランプユニット２０内に収納されている。
【００６２】
図４に示すように、ランプユニット２０は、１つのランプ２１と、１つのランプ２１に対して個別に設けられた制御部２２と、ランプ２１の累積点灯時間が記憶される記憶部２３とを備えた光源装置である。制御部２２は、プロジェクタ２が備える主たる制御部５４から入力される制御信号に基づいて、データ処理を実行する。具体的には、制御部２２は、ランプ２１の累積点灯時間や動作履歴等の情報を記憶部２３に記憶させたり、記憶部２３に記憶された情報を読み出したりする。
【００６３】
光路切替装置２４は、第１のランプ２１ａから出射された光を映像生成部２５へ導くか、あるいは、第２のランプ２１ｂから出射された光を映像生成部２５へ導くかを切り替えるための装置である。具体的には、例えば、光路切替装置２４は、電動モータと、この電動モータに接続された反射ミラーとにより構成される光路を切り替える装置である。光路切替装置２４は、プロジェクタ２が備える制御部５４から入力される制御信号に基づいて、光路を切り替えるように駆動される。このような光路切替装置２４が設けられていることにより、複数のランプ２１が発する光の光学経路において、光学系は映像生成部２５及び投写レンズ２６を共用している。
【００６４】
映像生成部２５は、例えば、ドットマトリクス型のライトバルブである液晶パネルや、微小鏡を格子状に配列したＤＭＤ（Digital Micromirror Device）を備える装置である。第１のランプ２１ａまたは第２のランプ２１ｂから出射された光が、液晶パネルを透過したりＤＭＤで反射されたりすることにより、映像生成部２５において映像が生成される。映像生成部２５には映像信号が入力され、入力された映像信号に基づいて液晶パネルやＤＭＤが駆動される。
【００６５】
投写レンズ２６は、映像生成部２５により生成された映像の光を拡大して投写するレンズ群である。投写レンズ２６を用いて映像の光がスクリーンや壁等に向けて投写されることにより、プロジェクタ２はスクリーンや壁等に映像を投写して表示する。
【００６６】
また、図３に示すように、プロジェクタ２は、第１のランプ２１ａ及び第２のランプ２１ｂに電力を供給するための構成要素として、電力を供給する電源部３１と、電源部３１からの電力の供給先を切り替えるリレー３２とを備えている。
【００６７】
電源部３１は、商用電源からプロジェクタ２内の各部に応じた電力を得るための回路により構成されており、電源部３１は、リレー３２を介して第１のランプ２１ａ及び第２のランプ２１ｂに電力を供給する。同時に、プロジェクタ２が備える主たる制御部５４から制御される制御信号に基づいて、対応する１つのランプ２１の点灯及び消灯を制御する。また、電源部３１は、第１のランプ２１ａ及び第２のランプ２１ｂに電力を供給するだけでなく、プロジェクタ２が備える制御部５４や、ランプユニット２０が備える制御部２２等にも電力を供給する。
【００６８】
リレー３２は、電源部３１から供給される電力を、複数のランプ２１のいずれかのランプ２１に供給する継電器である。即ち、本実施形態においては、リレー３２により電源部３１から電力が供給されるランプ２１が切り替えられ、第１のランプ２１ａまたは第２のランプ２１ｂに電源部３１から電力が供給される。リレー３２は、プロジェクタ２が備える主たる制御部５４から入力される制御信号に基づいて、電力の供給先を切り替える。
【００６９】
従って、電源部３１から第１のランプ２１ａへ電力が供給されると、第１のランプ２１ａが点灯し、第２のランプ２１ｂへの電力の供給が停止されるため、第２のランプ２１ｂは消灯する。また、同様に、電源部３１から第２のランプ２１ｂへ電力が供給されると、第２のランプ２１ｂは点灯し、第１のランプ２１ａへの電力の供給が停止されるため、第１のランプ２１ａは消灯する。
【００７０】
また、プロジェクタ２は、プロジェクタ２の外部から入力される映像信号に基づき映像生成部２５を動作させるための構成要素として、プロジェクタ２の外部から映像信号が入力される映像信号入力部４１と、映像信号に対して所定の信号処理を施す映像信号処理部４２とを備えている。
【００７１】
映像信号入力部４１は、例えば、ＨＤＭＩ端子、ＶＧＡ端子等により構成される。本実施形態においては、映像信号入力部４１を介して、プロジェクタ２に接続された外部機器であるコンピュータ１から映像信号がプロジェクタ２に入力される。
【００７２】
映像信号処理部４２は、プロジェクタ２に入力された映像信号に対して種々の信号処理を施す集積回路である。信号処理が施された映像信号は、映像信号処理部４２から映像生成部２５に入力される。
【００７３】
また、プロジェクタ２は、ユーザにより操作される操作部５１と、プログラム等の情報が記憶された記憶部５２と、プロジェクタ２の外部から制御信号が入力される制御信号入出力部５３と、種々の機能を発揮するためにプロジェクタ２内の各部を制御する制御部５４とを備えている。
【００７４】
操作部５１は、例えばユーザにより押されるボタンやタッチパネル等により構成される。操作部５１が操作されることにより各種信号が制御部５４に入力され、操作部５１が操作されることに基づいて、制御部５４は操作部５１の操作内容に応じた制御を行う。
【００７５】
記憶部５２は、情報の書き込み及び消去が可能な不揮発性のメモリ（例えばフラッシュメモリ）により構成される。記憶部５２には、制御部５４が実行するプログラムや、ランプ２１の点灯時間についての情報等が記憶される。
【００７６】
制御信号入出力部５３は、例えばＬＡＮケーブルが接続されるＬＡＮ端子、ＲＳ−２３２Ｃ端子、ＵＳＢ端子等により構成される。プロジェクタ２を制御するためにコンピュータ１から出力された信号が、制御信号入出力部５３からプロジェクタ２に入力されるように構成されている。
【００７７】
制御部５４は、プロジェクタ２内の各部に制御信号等を出力する集積回路である。具体的には、制御部５４は、例えばマイコンにより構成され、記憶部５２に記憶されたプログラムを制御部５４が実行することにより、そのプログラムに基づきプロジェクタ２の各部を制御するための信号が制御部５４から出力される。
【００７８】
より具体的には、制御部５４は、記憶部５２に記憶された情報や、プロジェクタ２の外部から入力される信号に基づいて、光路切替装置２４、電源部３１、リレー３２を制御することにより、映像を表示するために用いられるランプ２１を切り替える制御を行う。即ち、制御部５４は、電源部３１及びリレー３２による電源の供給を制御することにより、ランプ２１の点灯及び消灯を制御する。本実施形態においてプロジェクタ２は２つのランプ２１（即ち、第１のランプ２１ａ及び第２のランプ２１ｂ）を備えているため、制御部５４により、これら２つのランプ２１が交互に切り替えられて点灯する。
【００７９】
また、制御部５４は、実行するプログラムにおいて各種の判断を行う。例えば、制御部５４は、記憶部２３に記憶されたランプ２１の累積点灯時間や、ランプ２１の不点灯等の動作履歴に基づき、映像を表示するために所定のランプ２１を点灯させることができないか否かの判断等を行う。
【００８０】
以上のように、プロジェクタ２は、映像を表示するための複数のランプ２１と、ランプ２１の点灯を制御する制御部５４とを備えている。ランプ２１を点灯させる時間である点灯時間はユーザにより設定され、プロジェクタ２の制御部５４は、ユーザにより設定された点灯時間に基づいてランプ２１を切り替えて点灯させる制御を行う。なお、デジタルサイネージにおいてプロジェクタ２が使用される場合のユーザは、プロジェクタ２の管理者等である。
【００８１】
ここで、本実施形態においては、複数回点灯されるランプ２１の各点灯時における点灯時間が、個別に設定されることに特徴がある。即ち、ランプ２１の１回の点灯についての点灯時間が設定され、かつ、複数回の点灯において点灯１回毎について点灯時間が設定される。設定される点灯時間は、表示される映像の再生時間に応じた点灯時間である。以下、ランプ２１の各点灯時における点灯時間が個別に設定されるプロジェクタ２の動作について、詳細に説明する。
【００８２】
本実施形態に係るプロジェクタ２は、ランプ２１の点灯方式が設定される点灯モードとして、３つの点灯モードが選択可能である。具体的には、プロジェクタ２は、点灯モードとして、点灯するランプ２１がユーザの操作入力時に切り替えられる手動切替モードと、点灯するランプ２１が設定された点灯時間に基づいて切り替えられる自動切替モードと、点灯するランプ２１が外部機器から入力される信号に基づいて切り替えられる遠隔制御モードとを有している。
【００８３】
手動切替モードは、ユーザが操作部５１を操作したタイミングで点灯するランプ２１が切り替えられる点灯方式である。自動切替モードは、記憶部１２に記憶された点灯時間の情報を含む点灯プログラムに基づいて、点灯するランプ２１が自動的に切り替えられる点灯方式である。
【００８４】
また、遠隔制御モードは、プロジェクタ２に接続された外部機器であるコンピュータ１の制御に基づき、点灯するランプ２１が切り替えられる点灯方式である。本実施形態においては、遠隔制御モードが選択された場合には、コンピュータ１の操作部１４が操作されたことに基づき、その操作タイミングで点灯するランプ２１が切り替えられる。
【００８５】
自動切替モードに係る点灯プログラムが設定される際のプロジェクタ２の動作の流れを、図５を参照しながら説明する。図５に示す一連の動作は、操作部５１が操作されることにより、点灯プログラムの設定を開始するための信号が制御部５４に入力されたことに基づいてスタートする。点灯プログラムは、自動切替モードにおけるランプ２１の点灯の制御が行われるまでに設定されていればよく、自動切替モードが選択される前や自動切替モードの選択直後に点灯プログラムが設定されればよい。
【００８６】
図５に示すように、まず、プロジェクタ２は、点灯させるランプ２１の情報を取得する（ステップＳ１）。具体的には、ステップＳ１においては、操作部５１が操作されることにより点灯させるランプ２１が選択され、制御部５４が、操作部５１の操作内容に基づき、複数のランプ２１のうち点灯させるランプ２１の情報を取得する。本実施形態においては、点灯させるランプ２１として、第１のランプ２１ａ及び第２のランプ２１ｂのいずれかのランプ２１が選択される。
【００８７】
次いで、プロジェクタ２は、１回の点灯についてランプ２１を点灯させる時間である点灯時間の情報を取得する（ステップＳ２）。具体的には、ステップＳ２においては、操作部５１が操作されることによりステップＳ１において選択されたランプ２１の点灯時間が選択され、制御部５４が、操作部５１の操作内容に基づき、ランプ２１の点灯１回の点灯時間の情報を取得する。
【００８８】
次いで、プロジェクタ２は、ステップＳ１及びステップＳ２において取得した情報を関連付けて記憶する（ステップＳ３）。具体的には、ステップＳ３においては、制御部５４が、ステップＳ１において取得した点灯させるランプ２１の情報と、ステップＳ２において取得した点灯時間の情報とを関連付けて、記憶部５２に記憶させる。このように、操作部５１が操作されて、点灯させるランプ２１及び点灯時間の情報が記憶部５２に記憶されることにより、ランプ２１の点灯１回についての点灯時間及び点灯すべきランプ２１が設定される。
【００８９】
そして、プロジェクタ２は、点灯プログラムの設定を終了するか否かを判断する（ステップＳ４）。具体的には、ステップＳ４においては、制御部５４が、操作部５１が操作されることにより、点灯プログラムの設定を終了するための信号が制御部５４に入力されたか否かを判断する。即ち、点灯プログラムの設定を終了するための信号が制御部５４に入力されると、点灯プログラムの設定を終了すると判断され、点灯プログラムの設定を終了するための信号が制御部５４に入力されないと、点灯プログラムの設定を終了しないと判断される。
【００９０】
ステップＳ４において点灯プログラムの設定を終了しないと判断された場合には、ステップＳ１〜Ｓ３の動作が繰り返される。ステップＳ１〜Ｓ３の動作が繰り返されることにより、ランプ２１の１回の点灯毎に点灯時間が設定され、例えば図６に示すようなプログラムリストが作成される。
【００９１】
図６に示すプログラムリストは、ランプ２１の点灯プログラムに関する情報の一例を示す表であって、ステップＳ４が繰り返されることにより記憶部５２に記憶された情報の一例を示している。なお、図６中の「Ｎ」は、自然数を意味し、図６中の「ｎ」は、本実施形態においては「１」または「２」のいずれかを意味する。また、図６中の「Ｋ」は、表示される映像の時間的長さに応じた自然数を意味する。
【００９２】
本実施形態においては、点灯させるランプ２１の情報と、点灯時間の情報とは、リスト番号により関連付けられている。リスト番号は、識別可能な符号であり、ランプ２１の点灯順序を示している。従って、図６に示すプログラムリストは、「３０分間の第１のランプ２１ａの点灯」→「１００分間の第２のランプ２１ｂの点灯」→「４０分間の第１のランプ２１ａの点灯」→「２０分間の第２のランプ２１ｂの点灯」の順序でランプ２１を点灯させる点灯パターンを示している。即ち、図６に示す点灯時間は、点灯するランプ２１が切り替えられる時間間隔を示しており、本実施形態においては、ランプ２１が切り替えられる時間間隔が設定されることにより、ランプ２１の点灯時間が設定される。
【００９３】
一方、点灯プログラムの設定を終了するとステップＳ４において判断された場合には、プロジェクタ２の操作部５１を用いたプログラムリストの作成が完了する。以上のようにして、操作部５１が操作されることにより、各種の情報が記憶部５２に記憶されて、プログラムリストの作成が完了することにより、点灯プログラムの設定が完了する。
【００９４】
また、本実施形態においては、ランプ２１の点灯パターンの少なくとも一部を、繰り返しパターンとして繰り返すか否かが設定できるように構成されている。制御部５４は、ランプ２１の点灯パターンの少なくとも一部を繰り返しパターンとして繰り返すことが設定されている場合には、設定された繰り返しパターンが繰り返されるようにランプ２１を切り替えて点灯させる制御を行う。
【００９５】
繰り返しパターンが設定される際のプロジェクタ２の動作の流れを、図７を参照しながら説明する。図７に示す一連の動作は、操作部５１が操作されることにより、繰り返しパターンの設定を開始するための信号が制御部５４に入力されたことに基づいてスタートする。
【００９６】
図７に示すように、まず、プロジェクタ２は、設定された点灯プログラムに基づくランプ２１の点灯パターンにおいて、所定の点灯パターンを繰り返しパターンとして繰り返すか否かの情報を取得する（ステップＳ１１）。具体的には、ステップＳ１１においては、操作部５１が操作されることにより、設定される繰り返しパターンを繰り返すか否かが選択され、制御部５４が、操作部５１の操作内容に基づき、繰り返しパターンを繰り返すか否かの情報を取得する。
【００９７】
次いで、プロジェクタ２は、繰り返しパターンの開始点の情報を取得する（ステップＳ１２）。具体的には、ステップＳ１２においては、操作部５１が操作されることにより、例えば、図６で示すプログラムリストのリスト番号のいずれかが、繰り返しパターンの開始点として選択される。そして、制御部５４が、操作部５１の操作内容に基づき、繰り返しパターンの開始点として選択されたリスト番号の情報を取得する。
【００９８】
次いで、プロジェクタ２は、繰り返しパターンの終了点の情報を取得する（ステップＳ１３）。具体的には、ステップＳ１３においては、操作部５１が操作されることにより、例えば、図６で示すプログラムリストのリスト番号のいずれかであって、ステップＳ１２において選択されたリスト番号よりも点灯順序が遅いことを示すリスト番号が、繰り返しパターンの終了点として選択される。そして、制御部５４が、操作部５１の操作内容に基づき、繰り返しパターンの終了点として選択されたリスト番号の情報を取得する。
【００９９】
次いで、プロジェクタ２は、繰り返しパターンを繰り返す回数である繰り返し回数の情報を取得する（ステップＳ１４）。具体的には、ステップＳ１４においては、操作部５１が操作されることにより、繰り返しパターンの開始点から繰り返しパターンの終了点までの点灯パターンを繰り返す回数が選択され、制御部５４が、操作部５１の操作内容に基づき、選択された繰り返し回数の情報を取得する。
【０１００】
そして、プロジェクタ２は、ステップＳ１１〜Ｓ１４において取得した情報を関連付けて記憶する（ステップＳ１５）。具体的には、ステップＳ１５においては、制御部５４が、繰り返しパターンを繰り返すか否かの情報と、繰り返しパターンの開始点及び終了点の情報と、繰り返し回数の情報とを関連付けて、記憶部５２に記憶させる。繰り返しパターンの開始点及び終了点の情報が記憶部５２に記憶されることにより、繰り返しパターンが設定される。また、繰り返しパターンを繰り返すか否かの情報及び繰り返し回数の情報が記憶部５２に記憶されることにより、ランプ２１の点灯パターンの少なくとも一部を繰り返しパターンとして繰り返すか否かが設定されるとともに、繰り返しパターンが繰り返される繰り返し回数が設定される。ステップＳ１１〜Ｓ１５の動作により、例えば図８に示すような繰り返し設定リストが作成される。
【０１０１】
図８に示す繰り返し設定リストは、設定された繰り返しパターンに関する情報の一例を示す表であって、ステップＳ１５において記憶部５２に記憶された情報の一例を示している。図８中の「繰り返し処理」の項目において、「ＯＮ」は、繰り返しパターンを繰り返すことを示している。図８に示す繰り返し設定リストは、プログラムリストにおけるリスト番号が３から４までの点灯により繰り返しパターンが構成されることを示している。従って、図６に示すプログラムリスト及び図８に示す繰り返し設定リストに基づく繰り返しパターンは、「４０分間の第１のランプ２１ａの点灯」→「２０分間の第２のランプ２１ｂの点灯」である。よって、図６に示すプログラムリストに基づく点灯パターンにおいて、図８に示す繰り返し設定リストに基づく繰り返し処理が行われると、「３０分間の第１のランプ２１ａの点灯」→「１００分間の第２のランプ２１ｂの点灯」の順序でランプ２１を点灯させた後、「４０分間の第１のランプ２１ａの点灯」→「２０分間の第２のランプ２１ｂの点灯」の順序でランプ２１を点灯させる点灯パターンが６回繰り返される。
【０１０２】
このようにして、各種情報が記憶部５２に記憶されて、繰り返し設定リストの作成が完了することにより、繰り返しパターンの設定が完了する。なお、ステップＳ１１において所定の点灯パターンを繰り返しパターンとして繰り返さないことが選択された場合には、ステップＳ１２〜Ｓ１４の動作を行わずに、繰り返しパターンの設定が完了されてもよい。
【０１０３】
以上のようにして設定された点灯プログラム等に基づき、点灯するランプ２１を切り替える制御が行われる。ランプ２１を切り替えて順次点灯させる際のプロジェクタ２の動作の流れを、図９を参照しながら説明する。図９に示す一連の動作は、例えば操作部５１が操作されることにより自動切替モードが選択されたことに基づいてスタートする。
【０１０４】
図９に示すように、まず、プロジェクタ２は、繰り返しパターンを繰り返すか否かを判断する（ステップＳ２１）。具体的には、ステップＳ２１においては、制御部５４が、ステップＳ１５において設定された繰り返しパターンを繰り返すか否かの設定内容に基づき、所定の点灯パターンを繰り返しパターンとして繰り返すか否かを判断する。なお、所定の点灯パターンを繰り返しパターンとして繰り返すか否かが選択されていない場合、即ち、繰り返しパターンが設定されていない場合には、繰り返しパターンを繰り返さないと判断される。
【０１０５】
繰り返しパターンを繰り返すとステップＳ２１において判断された場合には、プロジェクタ２は、設定された点灯プログラムに基づいて第１のランプ２１ａまたは第２のランプ２１ｂを点灯しようとするタイミングが、繰り返しパターンの開始点であるか否かを判断する（ステップＳ２２）。即ち、ステップＳ２２においては、制御部５４によって、例えば、図６に示すプログラムリストのリスト番号の順序に従った点灯パターンにおいて、現時点がステップＳ１２において取得した繰り返しパターンの開始点（開始タイミング）であるか否かが判断される。
【０１０６】
繰り返しパターンの開始点であるとステップＳ２２において判断された場合には、プロジェクタ２は、設定された繰り返しパターン及び繰り返し回数に基づいて、図１０に示す繰り返し処理を行う（ステップＳ３０）。従って、繰り返しパターンを繰り返さないことが設定されている場合には、また、繰り返しパターンを繰り返すことが設定されていても繰り返しパターンの開始点でない場合には、ステップＳ３０の繰り返し処理は行われない。
【０１０７】
一方、ステップＳ２１において繰り返しパターンを繰り返さないと判断された場合には、プロジェクタ２は、点灯プログラムに基づき、設定された点灯パターンに従って第１のランプ２１ａまたは第２のランプ２１ｂを点灯する（ステップＳ２３）。また、繰り返しパターンの開始点でないとステップＳ２２において判断された場合にも、繰り返し処理が保留されて、プロジェクタ２は、設定された点灯パターンに従って第１のランプ２１ａまたは第２のランプ２１ｂを点灯する。このようにして、ステップＳ２３においては、制御部５４が、記憶部５２に記憶された点灯プログラムに基づき、第１のランプ２１ａまたは第２のランプ２１ｂを点灯させる。
【０１０８】
次いで、プロジェクタ２は、第１のランプ２１ａまたは第２のランプ２１ｂを点灯させてから、設定された点灯時間が経過したか否かを判断する（ステップＳ２４）。具体的には、ステップＳ２４においては、制御部５４が、タイマ（不図示）を用いて点灯を開始したランプ２１の点灯開始時からの経過時間を計時し、記憶部５２に記憶されたランプ２１の点灯時間の情報に基づき、計時した経過時間が設定された点灯時間を経過したか否かを判断する。
【０１０９】
設定された点灯時間が経過していないとステップＳ２４において判断された場合には、再びステップＳ２４の動作が繰り返される。一方、設定された点灯時間が経過したとステップＳ２４において判断された場合には、プロジェクタ２は、ステップＳ２３において点灯を開始したランプ２１を消灯する（ステップＳ２５）。具体的には、例えば、図６に示す点灯プログラムが記憶部５２に記憶されている場合には、リスト番号の１に従って点灯する第１のランプ２１ａは、点灯を開始してから３０分経過後に消灯される。また、図６に示す点灯プログラムが記憶部５２に記憶されている場合には、リスト番号の２に従って点灯する第２のランプ２１ｂは、点灯を開始してから１００分経過後に消灯される。このようにして、ステップＳ２５においては、制御部５４が、記憶部５２に記憶された点灯プログラムに基づき、第１のランプ２１ａまたは第２のランプ２１ｂを消灯させる。従って、設定された点灯時間が経過したとステップＳ２４において判断されるまでの間は、ステップＳ２３において点灯を開始したランプ２１は点灯状態を維持するように、制御部５４によって制御される。このようにして、制御部５４は、設定された点灯時間において、設定されたランプ２１（第１のランプ２１ａまたは第２のランプ２１ｂ）を点灯させる。
【０１１０】
そして、プロジェクタ２は、次に点灯させるランプ２１が設定されているか否かを判断する（ステップＳ２６）。即ち、ステップＳ２６においては、制御部５４が、記憶部５２に記憶された点灯プログラムに基づいて、ステップＳ２１以降の動作を繰り返すことによって点灯させるランプ２１が設定されているか否かを判断する。
【０１１１】
次に点灯させるランプ２１が設定されているとステップＳ２６において判断された場合には、ステップＳ２１以降の動作が繰り返される。このようにしてステップＳ２１以降の動作が繰り返されることにより、記憶部５２に記憶された点灯時間の情報に基づき、設定された点灯パターンとなるように点灯するランプ２１が切り替えられる。
【０１１２】
次に、図１０を参照しながら、ステップＳ３０の繰り返し処理を行う際のプロジェクタ２の動作の流れを説明する。図１０に示すように、まず、プロジェクタ２は、設定された繰り返しパターンに従って第１のランプ２１ａまたは第２のランプ２１ｂを点灯する（ステップＳ３１）。即ち、ステップＳ３１においては、例えば、図８に示す繰り返し設定リストの開始点から終了点までのリスト番号に従って、制御部５４が、設定された点灯プログラムに基づいて第１のランプ２１ａまたは第２のランプ２１ｂを点灯させる。
【０１１３】
次いで、プロジェクタ２は、ステップＳ２４と同様に、第１のランプ２１ａまたは第２のランプ２１ｂを点灯させてから、設定された点灯時間が経過したか否かを判断する（ステップＳ３２）。
【０１１４】
設定された点灯時間が経過していないとステップＳ３２において判断された場合には、再びステップＳ３２の動作が行われる。一方、設定された点灯時間が経過したとステップＳ３２において判断された場合には、プロジェクタ２は、ステップＳ２５と同様に、ステップＳ３１において点灯を開始したランプ２１を消灯する（ステップＳ３３）。
【０１１５】
次いで、プロジェクタ２は、設定された点灯プログラムに基づいて第１のランプ２１ａまたは第２のランプ２１ｂを消灯したタイミングが、繰り返しパターンの終了点であるか否かを判断する（ステップＳ３４）。即ち、ステップＳ３４においては、制御部５４によって、例えば、図６に示すプログラムリストのリスト番号に従ってランプ２１が点灯される点灯パターンにおいて、現時点がステップＳ１３において取得した繰り返しパターンの終了点（終了タイミング）であるか否かが判断される。
【０１１６】
繰り返しパターンの終了点でないとステップＳ３４において判断された場合には、ステップＳ３１〜Ｓ３３の動作が繰り返される。このような、ステップＳ３１〜Ｓ３３の動作により、設定された繰り返しパターンでランプ２１が切り替えられて点灯される。
【０１１７】
一方、繰り返しパターンの終了点であるとステップＳ３４において判断された場合には、プロジェクタ２は、設定された繰り返し回数だけ繰り返しパターンを繰り返したか否かを判断する（ステップＳ３５）。即ち、ステップＳ３５においては、制御部５４によって、ステップＳ１４において選択された繰り返し回数だけ繰り返しパターンが繰り返されたか否かが判断される。
【０１１８】
設定された繰り返し回数だけ繰り返しパターンを繰り返していないとステップＳ３５において判断された場合には、ステップＳ３１以降の動作が繰り返される。このようにして、ステップＳ３１〜Ｓ３３の動作が繰り返されることにより、設定された繰り返し回数だけ繰り返しパターンが繰り返される。
【０１１９】
一方、設定された繰り返し回数だけ繰り返しパターンを繰り返したとステップＳ３５において判断された場合には、繰り返し処理が終了し、繰り返しパターンの終了点の次に点灯させるランプ２１が設定されているか否かがステップＳ２６において判断される。
【０１２０】
なお、自動切替モードが選択されたときであっても、点灯すべきランプ２１が寿命に達した場合や、ランプ２１の動作が不良である場合には、設定された点灯プログラムに基づかずに点灯するランプ２１が切り替えられる。即ち、自動切替モードが選択されたときに、映像を表示するための所定のランプ２１を点灯させることができないと制御部５４により判断された場合には、ユーザにより設定された点灯プログラムに基づく、ランプ２１の切り替えの制御が禁止される。
【０１２１】
本実施形態のプロジェクタ２によれば、以下の作用効果を得ることができる。
（１）複数回点灯されるランプ２１の各点灯時における点灯時間が、個別に設定される。即ち、繰り返し点灯される第１のランプ２１ａまたは第２のランプ２１ｂの１回の点灯についての点灯時間が設定され、かつ、複数回の点灯において点灯１回毎について点灯時間が設定可能に構成されている。よって、ランプ２１の各点灯時における点灯時間が、個別に設定されるため、点灯時間の設定の自由度が高く、ランプ２１の点灯パターンを柔軟に設定することができる。従って、ランプ２１の点灯パターンを、一定の点灯パターンではなく、プロジェクタ２を用いて提示される種々の映像コンテンツに応じた点灯パターンとすることが可能となる。その結果、映像コンテンツの区切りとランプ２１の切り替えとを同期させることが可能となり、ランプ２１の切り替えに伴って映像コンテンツの提示が途切れないようにすることができる。
【０１２２】
（２）プロジェクタ２が備える全てのランプ２１（即ち、第１のランプ２１ａ及び第２のランプ２１ｂ）について、各点灯時における点灯時間が個別に設定可能であるため、全てのランプ２１の点灯パターンを柔軟に設定することができる。
【０１２３】
（３）操作部５１が操作されることにより、ランプ２１の点灯時間が設定されるため、プロジェクタ２が備える操作部５１をユーザが操作することにより、点灯時間を設定できる。
【０１２４】
（４）操作部５１が操作されることにより、ユーザにより設定される点灯時間において点灯すべきランプ２１が設定され、制御部５４は、設定された点灯時間において、設定されたランプ２１を点灯させる。このため、ランプ２１の点灯パターンをより柔軟に設定することができ、複数のランプ２１の点灯パターンを、ユーザが所望する順序でランプ２１が点灯する点灯パターンとすることができる。
【０１２５】
（５）制御部５４は、ランプ２１を切り替えて点灯させる制御を、記憶部５２に記憶された情報（即ち、設定された点灯時間についての情報）に基づいて行う。従って、点灯時間についての情報が記憶部５２に記憶されていることにより、ランプ２１を切り替えて点灯させる制御が行われるため、ランプ２１を切り替えて点灯させるタイミングで、プロジェクタ２を外部から制御する必要がない。
【０１２６】
（６）切り替えられて点灯するランプ２１の点灯パターンの少なくとも一部を、繰り返しパターンとして繰り返すか否かが設定される。そして、制御部５４は、点灯パターンの少なくとも一部を繰り返しパターンとして繰り返すことが設定されている場合には、繰り返しパターンが繰り返されるように、ランプ２１を切り替えて点灯させる制御を行う。このため、ランプ２１の点灯パターンに含まれる所定の点灯パターンを繰り返す場合に、ランプ２１の各点灯時における点灯時間を個別に設定する手間を省くことができる。
【０１２７】
（７）繰り返しパターンが繰り返される繰り返し回数が設定され、制御部５４は、繰り返し回数だけ繰り返しパターンが繰り返されるように、ランプ２１を切り替えて点灯させる制御を行う。このため、点灯パターンに含まれる所定の点灯パターンを、ユーザが所望する回数だけ繰り返すことができる。
【０１２８】
（８）ランプ２１の点灯方式が設定される点灯モードとして、設定された点灯時間に基づいてランプ２１が切り替えられて点灯される自動切替モードと、ユーザの操作入力時にランプ２１が切り替えられて点灯される手動切替モードとが選択可能である。このため、プロジェクタ２の用途に応じて、ユーザが所望する点灯モードを選択することができる。
【０１２９】
（９）ランプ２１の点灯方式が設定される点灯モードとして、コンピュータ１から入力される信号に基づいて、ランプ２１が切り替えられて点灯される遠隔制御モードを有するため、プロジェクタ２におけるランプ２１の切り替えを遠隔制御することができる。従って、下記の第２の実施形態に記載されるように複数のプロジェクタ２を備える映像表示システムにおいては、遠隔制御モードを利用することにより、個々のプロジェクタ２の点灯パターンを設定する必要がなくなり、複数のプロジェクタ２の制御を容易に行うことが可能となる。
【０１３０】
（第２の実施形態）
次に、本発明の第２の実施形態について、図１１〜図１８を参照しながら説明する。本実施形態に係る制御装置は、図２で示す第１の実施形態のコンピュータ１と同様の構成であり、本実施形態に係る投写型映像表示装置は、図３及び図４で示す第１の実施形態のプロジェクタ２と同様の構成である。第１の実施形態と第２の実施形態とにおいて共通の構成については同じ符号を付し、その説明を省略する。
【０１３１】
図１１に示すように、本実施形態に係る映像表示システムは、コンピュータ１と、複数のプロジェクタ２と、プロジェクタ２に映像信号を出力する映像信号出力装置としての映像再生装置６とを備えている。
【０１３２】
本実施形態においては、コンピュータ１の記憶部１２には、映像再生装置６を制御するための情報がさらに記憶されており、映像再生装置６を制御するための信号が、コンピュータ１の制御信号入出力部１６から映像再生装置６に出力されるように構成されている。また、コンピュータ１は、ランプ２１に関する情報及び映像コンテンツに関する情報を、制御信号入出力部１６を介して取得し、取得したこれらの情報がコンピュータ１の記憶部１２に記憶される。
【０１３３】
また、本実施形態においては、プロジェクタ２の映像信号入力部４１を介して、プロジェクタ２に接続された外部機器である映像再生装置６から映像信号がプロジェクタ２に入力される。また、プロジェクタ２は、ランプ２１に関する情報を示す信号を、制御信号入出力部５３を介してコンピュータ１へ出力する。ランプ２１に関する情報は、例えば、プロジェクタ２が備えるランプ２１の個数や、複数のランプ２１の各々を識別するためのランプＩＤ等である。
【０１３４】
図１２に示すように、映像再生装置６は、電子記憶媒体に記憶された映像の情報を読み出す記憶装置６１と、記憶装置６１により読み出された映像の情報を映像信号として出力する映像信号出力部６２と、映像再生装置６内の各部を制御する制御部６３と、映像再生装置６の外部から制御信号が入力される制御信号入出力部６４とを備えている。
【０１３５】
記憶装置６１は、例えば、電子記憶媒体であるＤＶＤ等の光ディスクに記憶された映像の情報を読み取る光学ドライブである。映像信号出力部６２は、映像再生装置６の外部へ映像信号を出力するためのＨＤＭＩ端子やＶＧＡ端子等により構成される。電子記憶媒体からは種々の映像コンテンツに対応する映像の情報を読み取ることができ、電子記憶媒体から映像の情報を読み取った記憶装置６１は、制御部６３から入力された制御信号に基づいて、映像の情報を映像信号として映像信号出力部６２からプロジェクタ２の各々に出力されるように構成されている。
【０１３６】
制御部６３は、映像再生装置６内の各部に制御信号等を出力する集積回路である。具体的には、制御部６３は、例えばマイコンにより構成され、映像再生装置６の外部機器であるコンピュータ１から出力された制御信号等に基づいて、プロジェクタ２へ映像信号を出力するための制御信号を記憶装置６１に出力する。
【０１３７】
制御信号入出力部６４は、例えばＬＡＮケーブルが接続されるＬＡＮ端子、ＲＳ−２３２Ｃ端子、ＵＳＢ端子等により構成される。コンピュータ１から出力された信号が、制御信号入出力部６４から映像再生装置６に入力されるように構成されている。コンピュータ１から出力される信号としては、例えば、所定の映像信号を映像再生装置６から出力させるための信号等である。また、映像再生装置６は、映像コンテンツに関する情報を示す信号を、制御信号入出力部６４を介してコンピュータ１へ出力する。映像コンテンツに関する情報は、例えば、映像コンテンツの提示時間である映像の再生時間や、複数の映像コンテンツの各々を識別するための映像コンテンツＩＤ等である。
【０１３８】
従って、本実施形態においては、映像再生装置６から複数のプロジェクタ２に映像信号が入力される構成となっており、プロジェクタ２及び映像再生装置６にコンピュータ１から制御信号等が入力されることにより、プロジェクタ２及び映像再生装置６が制御される構成となっている。
【０１３９】
本実施形態においても、複数回点灯されるランプ２１の各点灯時における点灯時間が、個別に設定される。即ち、設定される点灯時間として、表示される映像の再生時間に応じた点灯時間が設定される。なお、本実施形態においては、コンピュータ１の操作部１４が操作されることにより、ランプ２１の点灯時間が設定される。
【０１４０】
本実施形態においては、プロジェクタ２の点灯モードとして、遠隔制御モードが選択される。本実施形態においては、遠隔制御モードが選択された場合には、コンピュータ１の記憶部１２に記憶された点灯プログラムを含む制御プログラムに基づいて、点灯するランプ２１が自動的に切り替えられる。
【０１４１】
遠隔制御モードに係る制御プログラムが設定される際のコンピュータ１の動作の流れを、図１３を参照しながら説明する。図１３に示す一連の動作は、操作部１４が操作されることにより、制御プログラムの設定を開始するための信号が制御部１１に入力されたことに基づいてスタートする。制御プログラムは、遠隔制御モードにおけるランプ２１の点灯の制御が行われるまでに設定されていればよい。
【０１４２】
図１３に示すように、まず、コンピュータ１は、制御タイミングの情報を取得する（ステップＳ４１）。具体的には、ステップＳ４１においては、操作部１４が操作されることによりプロジェクタ２及び映像再生装置６を制御する制御タイミングが設定され、制御部１１が、操作部１４の操作内容に基づき、プロジェクタ２及び映像再生装置６を制御する制御タイミングの情報を取得する。本実施形態においては、制御タイミングの情報として、遠隔制御モードによるランプ２１の制御処理が開始からの時刻の情報が取得される。
【０１４３】
次いで、コンピュータ１は、プロジェクタ２及び映像再生装置６の制御について制御内容の情報を取得する（ステップＳ４２）。具体的には、ステップＳ４２においては、操作部１４が操作されることにより制御内容が選択され、制御部１１が、操作部１４の操作内容に基づき、制御内容の情報を取得する。本実施形態においては、制御内容として「再生開始」及び「再生終了」及び「ランプ切り替え」のいずれかがステップＳ４２において選択されるように構成されている。「再生開始」は、映像再生装置６から映像信号の出力を開始させ、プロジェクタ２のランプ２１を点灯させる制御を意味する。また、「再生終了」は、映像再生装置６からの映像信号の出力を停止させる制御を意味する。また、「ランプ切り替え」は、点灯するランプ２１を切り替えるために、プロジェクタ２の点灯しているランプ２１を消灯させる制御を意味する。
【０１４４】
次いで、コンピュータ１は、ステップＳ４２において選択された制御内容が「再生開始」であるか否かを判断する（ステップＳ４３）。ステップＳ４２において選択された制御内容が「再生開始」であれば、ステップＳ４３以降において、プロジェクタ２を用いて提示する映像コンテンツ及び映像を表示するために点灯させるランプ２１の情報を取得する。
【０１４５】
制御内容が「再生開始」であるとステップＳ４３において判断された場合、即ち、ステップＳ４２において制御内容として「再生開始」が選択された場合には、コンピュータ１は、提示すべき映像コンテンツの情報を取得する（ステップＳ４４）。具体的には、ステップＳ４４においては、操作部１４が操作されることにより、ステップＳ４１において設定された制御タイミングを提示の開始時刻とする映像コンテンツが選択され、制御部１１が、操作部１４の操作内容に基づき、提示すべき映像コンテンツの情報を取得する。
【０１４６】
次いで、コンピュータ１は、点灯させるランプ２１の情報を取得する（ステップＳ４５）。具体的には、ステップＳ４５においては、操作部１４が操作されることにより、ステップＳ４１において設定された制御タイミングを開始時刻として点灯させるランプ２１が選択され、制御部１１が、操作部１４の操作内容に基づき、複数のランプ２１のうち点灯させるランプ２１の情報を取得する。本実施形態においても、点灯させるランプ２１として、第１のランプ２１ａ及び第２のランプ２１ｂのいずれかのランプ２１が選択される。
【０１４７】
次いで、コンピュータ１は、繰り返し再生するか否かの情報を取得する（ステップＳ４６）。具体的には、ステップＳ４６においては、操作部１４が操作されることにより、ランプ２１の点灯時間内に映像コンテンツの提示が終了した場合（即ち、映像の再生が終了した場合）に、映像を繰り返し再生して映像コンテンツを再度提示するか否かが選択される。そして、制御部１１が、操作部１４の操作内容に基づき、映像を繰り返し再生するか否かの情報を取得する。
【０１４８】
次いで、コンピュータ１は、繰り返し再生するか否かを判断する（ステップＳ４６１）。即ち、ステップＳ４６１においては、制御部１１が、ステップＳ４６において取得した情報に基づき、ランプ２１の点灯時間内に映像コンテンツの提示が終了した場合に、映像を繰り返し再生して映像コンテンツを再度提示することが、ステップＳ４６において選択されたか否かを判断する。
【０１４９】
繰り返し再生するとステップＳ４６１において判断された場合には、コンピュータ１は、ステップＳ１４と同様に、映像の再生を繰り返す回数である繰り返し回数の情報を取得する（ステップＳ４６２）。具体的には、ステップＳ４６２においては、操作部１４が操作されることにより、ステップ４４において選択された映像コンテンツを繰り返し提示する回数が選択され、制御部５４が、操作部１４の操作内容に基づき、選択された繰り返し回数の情報を取得する。一方、繰り返し再生しないとステップＳ４６１において判断された場合には、ステップＳ４６２の動作は行われない。
【０１５０】
ステップＳ４６１及びＳ４６２において、繰り返し再生すること及び繰り返し回数が設定された場合には、繰り返し回数だけ、「再生開始」及び「再生終了」の選択が繰り返されたとして、制御プログラムが設定されてもよい。具体的には、制御内容として「再生終了」が選択された場合に設定される映像コンテンツの提示の終了時刻（即ち、「再生終了」の制御タイミング）として、映像コンテンツの提示の開始時刻（即ち、「再生開始」の制御タイミング）に映像コンテンツの提示時間を加算した時刻が、自動的に設定されるように構成してもよい。そして、その直後の時刻が映像コンテンツの提示の開始時刻として自動的に設定され、さらに、その開始時刻に映像コンテンツの提示時間を加算した時刻が映像コンテンツの提示の終了時刻として自動的に設定されるように構成してもよい。
【０１５１】
次いで、コンピュータ１は、少なくともステップＳ４１，Ｓ４２において取得した情報を関連付けて記憶する（ステップＳ４７）。具体的には、コンピュータ１は、ステップＳ４２において制御内容として「再生開始」が選択された場合には、ステップＳ４１，Ｓ４２，Ｓ４４〜Ｓ４６において取得した情報を関連付けて記憶する。より具体的には、制御部１１が、制御タイミングの情報と、制御内容の情報と、提示すべき映像コンテンツの情報と、点灯させるランプ２１の情報と、繰り返し再生するか否かの情報とを関連付けて、記憶部１２に記憶させる。このように、操作部１４が操作されて、「再生開始」の制御タイミングの情報及び点灯させるランプ２１の情報が記憶部１２に記憶されることにより、点灯すべきランプ２１及びランプ２１を点灯させるタイミングが設定される。
【０１５２】
また、ステップＳ４７においては、提示すべき映像コンテンツの情報が記憶部１２に記憶されることにより、プロジェクタ２に表示させる映像が設定される。また、ステップＳ４７においては、繰り返し再生するか否かの情報が記憶部１２に記憶されることにより、映像コンテンツを繰り返し提示するか否かが設定される。
【０１５３】
一方、ステップＳ４３において制御内容が「再生開始」でないと判断された場合、即ち、ステップＳ４２において「再生終了」または「ランプ切り替え」が選択された場合には、ステップＳ４７において、コンピュータ１は、ステップＳ４１，Ｓ４２において取得した情報を関連付けて記憶する。より具体的には、制御部１１が、ステップＳ４１において取得した制御タイミングの情報と、ステップＳ４２において取得した制御内容の情報とを関連付けて、記憶部１２に記憶させる。
【０１５４】
ステップＳ４１〜Ｓ４７の動作は繰り返され、ステップＳ４２において選択された制御内容が「再生開始」であれば、直後に繰り返されるステップＳ４２においては「再生終了」が選択されるように構成されている。従って、ステップＳ４７が繰り返されて、「再生開始」及び「再生終了」の制御タイミングの情報が記憶部１２に記憶されることにより、「再生開始」の制御タイミングから「再生終了」の制御タイミングまでの時間が、点灯時間として設定される。従って、ステップＳ４１〜Ｓ４７の動作が繰り返されることにより、操作部１４が操作されて、複数回点灯されるランプ２１の各点灯時における点灯時間が、個別に設定される。
【０１５５】
なお、初回のステップＳ４２においては「再生開始」が選択されるように構成されている。また、ステップＳ４２において選択された制御内容が「再生終了」であれば、直後に繰り返されるステップＳ４２においては「再生終了」は選択されないように構成されている。さらに、ステップＳ４２において選択された制御内容が「ランプ切り替え」であれば、直後に繰り返されるステップＳ４２においては「再生開始」が選択されるように構成されている。
【０１５６】
また、ステップＳ４２において制御内容として「再生終了」が選択され、直後に繰り返されるステップＳ４２において制御内容として「再生開始」が選択された場合には、ランプ２１を切り替える制御が行われないため、ステップＳ４５の動作は行われなくてもよい。
【０１５７】
また、ステップＳ４２において制御内容として「再生終了」が選択される場合には、映像コンテンツの情報に基づいて、映像コンテンツの提示時間（即ち、映像の再生時間）に応じて、映像コンテンツの提示の終了時刻としての制御タイミングが自動的に設定されることが好ましい。
【０１５８】
そして、コンピュータ１は、制御プログラムの設定を終了するか否かを判断する（ステップＳ４８）。具体的には、ステップＳ４８においては、制御部１１が、操作部１４が操作されることにより、制御プログラムの設定を終了するための信号が制御部１１に入力されたか否かを判断する。即ち、制御プログラムの設定を終了するための信号が制御部１１に入力されると、制御プログラムの設定を終了すると判断され、制御プログラムの設定を終了するための信号が制御部１１に入力されないと、制御プログラムの設定を終了しないと判断される。
【０１５９】
制御プログラムの設定を終了しないとステップＳ４８において判断された場合には、ステップＳ４１以降の動作が繰り返される。ステップＳ４１以降の動作が繰り返されることにより、ランプ２１の１回の点灯毎に点灯時間が設定され、例えば図１４に示すようなプログラムリストが作成される。
【０１６０】
図１４に示すプログラムリストは、ランプ２１の点灯プログラムを含む制御プログラムに関する情報の一例を示す表であって、ステップＳ４７が繰り返されることにより記憶部１２に記憶された情報の一例を示している。
【０１６１】
本実施形態においては、制御タイミングの情報と、制御内容の情報と、映像コンテンツの情報と、点灯させるランプ２１の情報と、繰り返し再生するか否かの情報とは、リスト番号により関連付けられている。リスト番号は、識別可能な符号であり、ランプ２１の点灯順序を示している。従って、図１４に示すプログラムリストは、「約３０分間の第１のランプ２１ａの点灯」→「約１００分間の第２のランプ２１ｂの点灯」→「約４０分間の第１のランプ２１ａの点灯」の順序でランプ２１を点灯される点灯パターンを示している。
【０１６２】
また、図１４中の「繰り返し再生」の項目において、「ＯＮ」は繰り返し再生することを示し、「ＯＦＦ」は繰り返し再生しないことを示しており、図１４に示すプログラムリストは、第１のランプ２１ａが点灯する約３０分間において、コンテンツＡの映像が繰り返し再生されて表示されるように設定されていることを示している。
【０１６３】
また、図１４中の「映像コンテンツ」の項目において、「コンテンツＡ」及び「コンテンツＢ」及び「コンテンツＣ」及び「コンテンツＤ」は、提示すべき映像コンテンツとして商業目的の映像コンテンツを示している。同じく「映像コンテンツ」の項目において、「切り替え時映像」は、商品及びサービスの宣伝や施設の紹介を目的としない非商業目的の映像コンテンツを示している。
【０１６４】
本実施形態においては、ステップＳ４２において選択された制御内容が「ランプ切り替え」であれば、直後に繰り返されるステップＳ４４において映像コンテンツとして「切り替え時映像」が自動的に選択されるように構成されている。即ち、図１４に示すように、点灯を開始したランプ２１の照度が安定するまでの間である「ランプ切り替え」から２０秒間は、提示すべき映像コンテンツとして商業目的の映像コンテンツ（即ち、コンテンツＡ〜Ｄ）が選択されることが禁止されている。仮に、ランプ２１が点灯を開始した直後から映像を再生すると、照度が十分でない期間に表示された映像が見えにくく、その結果、視聴者に伝えたい情報が伝わらない等の不利益が生じるおそれがある。そこで、本実施形態においては、ランプ２１の点灯開始時において、点灯を開始したランプ２１の照度が安定するまでの間は、所定の映像を表示し、ランプ２１の照度が安定した後に、表示する映像を切り替えることが設定される。
【０１６５】
なお、「切り替え時映像」の提示時間、即ち、ランプ２１の照度が安定するまでの間に表示される映像の再生時間が、ユーザによって変更できるように構成してもよい。このように構成することにより、照度が安定した状態において商業目的の映像コンテンツが確実に提示されるように、「切り替え時映像」の提示時間を長く設定したいという要求と、早く「切り替え時映像」以外の映像コンテンツを提示したいという要求とに対応することができる。
【０１６６】
また、ランプ２１の照度をセンサで計測し、計測された照度が一定値以上となったときに、「切り替え時映像」の提示を終了するように構成してもよい。このような構成によれば、一定以上の照度となったときに、「切り替え時映像」の提示を確実に終了し、他の映像コンテンツの提示を開始することができる。即ち、コンテンツＡ〜Ｄの映像コンテンツの提示において一定以上の照度を補償でき、視聴者へ映像コンテンツをより確実に提示できる。
【０１６７】
一方、制御プログラムの設定を終了するとステップＳ４８において判断された場合には、コンピュータ１の操作部１４を用いたプログラムリストの作成が完了する。以上のようにして、各種の情報が記憶部１２に記憶されて、プログラムリストの作成が完了することにより、コンピュータ１における制御プログラムの設定が完了する。
【０１６８】
コンピュータ１において設定された制御プログラムに含まれる点灯プログラムの情報は、コンピュータ１からプロジェクタ２に入力される。具体的には、コンピュータ１の制御信号入出力部１６から、記憶部１２に記憶された制御タイミングの情報及び点灯させるランプ２１の情報に基づき、ランプ２１を切り替える時刻の情報、及び切り替える対象のランプ２１の情報が信号として出力される。そして、制御信号入出力部１６から出力された信号が、プロジェクタ２の制御信号入出力部５３に入力される。従って、制御信号入出力部５３には、点灯時間を示す信号としてランプ２１を切り替える時刻を示す信号がプロジェクタ２の外部から入力される。このような信号が制御信号入出力部５３に入力されることにより、点灯時間についての情報を含む点灯プログラムがプロジェクタ２の記憶部５２に記憶されて、プロジェクタ２における点灯プログラムの設定が完了する。
【０１６９】
点灯プログラムが記憶部５２に記憶される際のプロジェクタ２の動作の流れを、図１５を参照しながら説明する。図１５に示す一連の動作は、コンピュータ１から遠隔制御モードを選択するための信号がプロジェクタ２に入力されたことに伴いスタートする。記憶部５２への点灯プログラムの記憶は、遠隔制御モードによるランプ２１の制御処理よりも前に行われる。
【０１７０】
図１５に示すように、まず、プロジェクタ２は、点灯するランプ２１を切り替える時刻の情報を取得する（ステップＳ５１）。具体的には、ステップＳ５１においては、ランプ２１を切り替える時刻を示す信号が制御信号入出力部５３に入力されることにより、制御部５４が、点灯しているランプ２１を消灯させるタイミングであって消灯しているランプ２１を点灯させるタイミングの情報を取得する。
【０１７１】
次いで、プロジェクタ２は、点灯状態を切り替える対象のランプ２１の情報を取得する（ステップＳ５２）。具体的には、ステップＳ５２においては、切り替える対象のランプ２１を示す信号が制御信号入出力部５３に入力されることにより、所定のタイミングで点灯させるランプ２１の情報及び所定のタイミングで消灯させるランプ２１の情報のうち少なくとも一方の情報を取得する。
【０１７２】
そして、プロジェクタ２は、ステップＳ５１及びステップＳ５２において取得した情報を関連付けて記憶する（ステップＳ５３）。具体的には、ステップＳ５３においては、制御部５４が、ランプ２１を切り替える時刻の情報と、ステップＳ５２において取得した切り替える対象のランプ２１の情報とを関連付けて、記憶部５２に記憶させる。ランプ２１を切り替える時刻の情報と、ステップＳ５２において取得した切り替える対象のランプ２１の情報とが記憶部５２に記憶されることにより、例えば図１６に示すようなプログラムリストが作成される。
【０１７３】
図１６に示す表は、設定されたランプ２１の点灯プログラムの一例を表として示すプログラムリストであって、ステップＳ５３において記憶部５２に記憶された情報の一例を示している。なお、図１６中の「ｈ」は、自然数を意味し、図１６中の「ｍ」及び「ｓ」は、０〜５９の整数を意味する。また、図１６中の「ｎ」は、本実施形態においては「１」または「２」のいずれかを意味する。
【０１７４】
図１６に示す点灯プログラムは、図１４に示す制御プログラムに含まれる点灯プログラムと同じ内容を示しており、「３０分間の第１のランプ２１ａの点灯」→「１時間４０分２０秒間の第２のランプ２１ｂの点灯」の順序でランプ２１が点灯される点灯パターンを示している。このように、ランプ２１を切り替える時刻（タイミング）は、ランプ２１の点灯１回についての点灯時間を表すことができ、ランプ２１を切り替える時刻が設定されることにより、ランプ２１の点灯時間が設定される。
【０１７５】
このようにして設定されたランプ２１を切り替える時刻や、ランプ２１の点灯時間は、コンピュータ１からプロジェクタ２に出力された信号に基づいて設定された内容である。従って、コンピュータ１は、ユーザにより設定された制御タイミングに基づき、ユーザにより設定された点灯時間、ユーザにより設定されたランプ２１を点灯させるようにプロジェクタ２を制御する。そしてランプ２１の点灯の制御に併せて、コンピュータ１は、ユーザにより設定された点灯時間において、ユーザにより設定された映像を表示させるように映像再生装置６を制御する。即ち、以上のようにして設定された制御プログラム及び点灯プログラムに基づき、提示すべき映像コンテンツに対応した映像信号をプロジェクタ２に入力させる制御、及びランプ２１を順次点灯させる制御が行われる。
【０１７６】
提示すべき映像コンテンツに対応した映像信号を出力させる制御が行われるために、コンピュータ１は、設定された制御タイミングにおいて、「再生開始」または「再生終了」の制御信号等を映像再生装置６に出力して、映像再生装置６を制御する。「再生開始」の制御信号は、所定の映像信号を映像再生装置６から出力させるための信号であり、「再生終了」の制御信号は、映像再生装置６からの所定の映像信号の出力を停止させるための信号である。
【０１７７】
提示すべき映像コンテンツに対応した映像信号をプロジェクタ２に入力させる際の映像再生装置６の動作の流れを、図１７を参照しながら説明する。図１７に示す一連の動作は、遠隔制御モードによるランプ２１の制御処理が開始されて、制御タイミングにおいて「再生開始」の制御信号がコンピュータ１から映像再生装置６に入力されたことに基づいてスタートする。従って、図１４に示す制御プログラムに基づき「再生開始」の制御信号が映像再生装置６に入力される場合には、遠隔制御モードによるランプ２１の制御処理の開始時と、遠隔制御モードによるランプ２１の制御処理の開始から３０分５秒経過時、３０分２０秒経過時、及び１時間１０分２０秒経過時等に、図１７に示す一連の動作がスタートする。
【０１７８】
図１７に示すように、まず、映像再生装置６は、提示すべき映像コンテンツに対応する映像信号の出力を開始する（ステップＳ６１）。具体的には、例えば、図１４に示す制御プログラムに基づき「再生開始」の制御信号が映像再生装置６に入力される場合には、遠隔制御モードによるランプ２１の制御処理の開始時に、コンテンツＡを提示するための制御信号がコンピュータ１から映像再生装置６に入力される。この場合、制御部６３が、入力された制御信号に基づき、コンテンツＡに対応する映像の情報を記憶装置６１に読み取らせて、その映像の情報を映像信号として映像信号出力部６２から出力させる。このようにして、ステップＳ６１においては、制御部６３が、入力された制御信号に基づき、映像コンテンツに対応する映像の情報を記憶装置６１に読み取らせて、その映像の情報を映像信号として映像信号出力部６２から出力させる。なお、コンテンツＡ〜Ｄは商業目的のコンテンツであり、コンテンツＡ〜Ｄに対応する映像は、商品及びサービスの宣伝や施設の紹介を目的とする映像である。
【０１７９】
次いで、映像再生装置６は、「再生終了」の制御信号がコンピュータ１から入力されたか否かを判断する（ステップＳ６２）。具体的には、ステップＳ６２においては、制御部６３が、「再生終了」の制御信号が制御信号入出力部６４に入力されたか否かを判断する。
【０１８０】
「再生終了」の制御信号が入力されていないとステップＳ６２において判断された場合には、映像再生装置６の制御部６３は、映像の再生が終了したか否かを判断する（ステップＳ６３）。映像の再生が終了していないとステップＳ６３において判断された場合には、ステップＳ６２以降の動作が繰り返され、「再生終了」の制御信号が映像再生装置６に入力されるまで、映像コンテンツに対応する映像信号の出力が続けられる。
【０１８１】
また、「再生終了」の制御信号が入力されていないとステップＳ６２において判断され、かつ、映像の再生が終了したとステップＳ６３において判断された場合には、映像再生装置６は、映像を繰り返し再生するか否かを判断する（ステップＳ６４）。この判断は、コンピュータ１から映像再生装置６に入力される制御信号であって、映像コンテンツを繰り返し提示するか否かを示す制御信号に基づいて判断される。即ち、ステップＳ６４においては、制御部６３が、映像コンテンツを繰り返し提示することを示す制御信号が入力された場合には、映像を繰り返し再生すると判断し、映像コンテンツを繰り返し提示しないことを示す制御信号が入力された場合には、映像を繰り返し再生しないと判断する。
【０１８２】
映像を繰り返し再生しないとステップＳ６４において判断された場合には、ステップＳ６２以降の動作が繰り返される。従って、「再生終了」の制御信号が映像再生装置６に入力されるまで、映像コンテンツに対応する映像信号の出力を終了した状態が維持される。
【０１８３】
また、「再生終了」の制御信号が入力されていないとステップＳ６２において判断され、かつ、映像の再生が終了したとステップＳ６３において判断され、かつ、映像を繰り返し再生するとステップＳ６４において判断された場合には、映像再生装置６は、繰り返し回数だけ映像を繰り返し再生したか否かを判断する（ステップＳ６４１）。この判断は、コンピュータ１から映像再生装置６に入力される制御信号であって、繰り返し回数を示す制御信号に基づいて判断される。即ち、ステップＳ６４１においては、制御部６３によって、ステップＳ４６２において選択された繰り返し提示する回数だけ映像コンテンツが繰り返し提示されたか否かが判断される。
【０１８４】
繰り返し回数だけ映像を繰り返し再生したとステップＳ６４１において判断された場合には、ステップＳ６２以降の動作が繰り返される。即ち、繰り返し回数だけ映像コンテンツが繰り返し提示されることが終了したため、「再生終了」の制御信号が映像再生装置６に入力されるまで、映像コンテンツに対応する映像信号の出力を終了した状態が維持される。
【０１８５】
一方、繰り返し回数だけ映像を繰り返し再生していないとステップＳ６４１において判断された場合には、ステップＳ６１以降の動作が繰り返される。従って、提示すべき映像コンテンツに対応する映像信号の出力が再び開始されて、繰り返し回数だけ映像コンテンツが繰り返し提示されて、「再生終了」の制御信号が映像再生装置６に入力されるまで、映像コンテンツに対応する映像信号が出力され続ける。このように、映像コンテンツが繰り返し提示することが設定されている場合には、「再生開始」及び「再生終了」の制御タイミングに同期するランプ２１の点灯時間において、設定された映像が繰り返し再生されて表示される構成となっている。
【０１８６】
「再生終了」の制御信号が入力されたとステップＳ６２において判断された場合には、映像再生装置６は、映像信号の出力を停止する（ステップＳ６５）。このようにして、コンピュータ１から入力される制御信号により、映像再生装置６から出力される映像信号が制御されるように構成されており、コンピュータ１は、設定された点灯時間において、設定された映像に対応する映像信号を出力するように映像再生装置６を制御する。
【０１８７】
以上の一連の動作を映像再生装置６が繰り返すことにより、種々の映像コンテンツに対応する映像信号がプロジェクタ２に順次入力される。本実施形態においては、映像再生装置６は複数のプロジェクタ２に接続されているため、複数のプロジェクタ２には同じ映像信号が入力される。
【０１８８】
次に、ランプ２１を順次点灯させる際のプロジェクタ２の動作の流れを、図１８を参照しながら説明する。図１８に示す一連の動作は、遠隔制御モードによるランプ２１の制御処理を示している。遠隔制御モードによるランプ２１の制御処理は、遠隔制御モードを選択するための信号がプロジェクタ２に入力されて、ランプ２１の点灯プログラムが記憶部５２に記憶されたことに伴いスタートする。
【０１８９】
図１８に示すように、まず、プロジェクタ２は、設定された点灯パターンに従ってランプ２１を点灯する（ステップＳ７１）。具体的には、例えば、図１６に示す点灯プログラムが記憶部５２に記憶されている場合には、遠隔制御モードによるランプ２１の制御処理の開始時に第１のランプ２１ａが点灯される。また、図１６に示す点灯プログラムが記憶部５２に記憶されている場合には、ステップＳ７１の動作は繰り返され、遠隔制御モードによるランプ２１の制御処理の開始から３０分経過時に第２のランプ２１ｂが点灯される。このようにして、ステップＳ７１においては、制御部５４が、記憶部５２に記憶された点灯プログラムに基づき、第１のランプ２１ａまたは第２のランプ２１ｂを点灯させる。
【０１９０】
次いで、プロジェクタ２は、第１のランプ２１ａまたは第２のランプ２１ｂを点灯させてから、点灯するランプ２１を切り替える時刻に達したか否かを判断する（ステップＳ７２）。具体的には、ステップＳ７２においては、制御部５４が、タイマ（不図示）を用いて遠隔制御モードによるランプ２１の制御処理の開始からの経過時間を計時し、記憶部５２に記憶されたランプ２１を切り替える時刻の情報と、計時した経過時間とに基づき、ランプ２１を切り替える時刻に達したか否かを判断する。
【０１９１】
ランプ２１を切り替える時刻に達していないとステップＳ７２において判断された場合には、再びステップＳ７２の動作が繰り返される。一方、ランプ２１を切り替える時刻に達したとステップＳ７２において判断された場合には、プロジェクタ２は、ステップＳ７１において点灯を開始したランプ２１を消灯する（ステップＳ７３）。具体的には、例えば、図１６に示す点灯プログラムが記憶部５２に記憶されている場合には、遠隔制御モードによるランプ２１の制御処理の開始から３０分経過時に第１のランプ２１ａが消灯される。また、図１６に示す点灯プログラムが記憶部５２に記憶されている場合には、ステップＳ７３の動作は繰り返され、遠隔制御モードによるランプ２１の制御処理の開始から２時間１０分２０秒経過時に第２のランプ２１ｂが消灯される。このようにして、ステップＳ７３においては、制御部５４が、記憶部５２に記憶された点灯プログラムに基づき、第１のランプ２１ａまたは第２のランプ２１ｂを点灯させる。従って、ランプ２１を切り替える時刻に達したとステップＳ７２において判断されるまでの間は、ステップＳ７１において点灯を開始したランプ２１は点灯され続ける。
【０１９２】
プロジェクタ２がステップＳ７１においてランプ２１を点灯させるタイミングと、映像再生装置６が映像信号の出力を開始するタイミングは、遠隔制御モードによるランプ２１の制御処理の開始時を基準として同期している。従って、プロジェクタ２及び映像再生装置６は、表示される映像に応じて点灯するランプ２１を切り替えて点灯させるように、コンピュータ１により制御されている。
【０１９３】
そして、プロジェクタ２は、次に点灯させるランプ２１が設定されているか否かを判断する（ステップＳ７４）。即ち、ステップＳ７４においては、制御部５４が、記憶部５２に記憶された点灯プログラムに基づいて、ステップＳ７１以降の動作を再度繰り返す前段階において、点灯させるランプ２１が設定されているか否かを判断する。
【０１９４】
次に点灯させるランプ２１が設定されているとステップＳ７４において判断された場合には、ステップＳ７１以降の動作が繰り返される。このようにステップＳ７１以降の動作が繰り返されることにより、記憶部５２に記憶されたランプ２１を切り替える時刻の情報に基づき、設定された点灯パターンとなるように点灯するランプ２１が切り替えられる。
【０１９５】
本実施形態のプロジェクタ２によれば、上記（１）、（２）、（５）、（８）、（９）に記載の効果に加えて、以下の作用効果を得ることができる。
（１０）点灯時間を示す信号が外部から入力される制御信号入出力部５３を備え、制御信号入出力部５３に信号が入力されることにより点灯時間が設定される。このため、プロジェクタ２に接続されるコンピュータ１から点灯時間を示す信号を制御信号入出力部５３に入力することにより、点灯時間を設定できる。
【０１９６】
（１１）ランプ２１の点灯開始時において、点灯を開始したランプ２１の照度が安定するまでの間は、所定の映像を表示し、ランプ２１の照度が安定した後に、表示する映像を切り替える。従って、点灯を開始したランプ２１の照度が安定するまでの間は、商品及びサービスの宣伝や施設の紹介を目的としない映像を表示し、ランプ２１の照度が安定した後に、商品及びサービスの宣伝や施設の紹介を目的とする映像に切り替えられる。このため、ランプ２１の照度が安定しない状態において、商業目的の映像コンテンツが提示されないようにすることができる。
【０１９７】
また、本実施形態の映像表示システムによれば、以下の作用効果を得ることができる。
（１２）映像表示システムは、映像を投写して表示するプロジェクタ２と、プロジェクタ２を制御するコンピュータ１とを備え、プロジェクタ２は、映像を表示するための複数のランプ２１を備え、コンピュータ１は、表示される映像に応じてランプ２１を切り替えて点灯させるようにプロジェクタ２を制御する。従って、ランプ２１の点灯パターンを、一定の点灯パターンではなく、プロジェクタ２を用いて提示される種々の映像コンテンツに応じた点灯パターンとすることができる。その結果、映像コンテンツの区切りとランプ２１の切り替えとを同期させることができ、ランプ２１の切り替えに伴って映像コンテンツの提示が途切れないようにすることができる。
【０１９８】
（１３）コンピュータ１は、ユーザにより操作される操作部１４を備え、操作部１４が操作されることにより、複数回点灯されるランプ２１の各点灯時における点灯時間が個別に設定される。このため、コンピュータ１の操作部１４をユーザが操作することにより、複数回点灯されるランプ２１の各点灯時における点灯時間を個別に設定できる。そして、コンピュータ１は、点灯時間を示す信号をプロジェクタ２に出力し、点灯時間を示す信号に基づいてランプ２１が点灯される。このため、プロジェクタ２におけるランプ２１の切り替えを遠隔制御することができる。
【０１９９】
（１４）操作部１４が操作されることにより、ユーザにより設定された点灯時間において点灯すべきランプ２１が設定され、コンピュータ１は、設定された点灯時間において、操作部１４が操作されることにより設定されたランプ２１を点灯させるようにプロジェクタ２を制御する。このため、複数のランプ２１の点灯パターンを、ユーザが所望する順序でランプ２１が点灯する点灯パターンとすることができる。
【０２００】
（１５）操作部１４が操作されることにより、ランプ２１を点灯させるタイミングが設定され、コンピュータ１は、設定されたタイミングに基づいて、ランプ２１を切り替えて点灯させるようにプロジェクタ２を制御する。このため、ランプ２１の点灯パターンを、ユーザが所望するタイミングでランプ２１が点灯する点灯パターンとすることができる。
【０２０１】
（１６）点灯時間においてプロジェクタ２に表示させる映像が設定され、プロジェクタ２は、設定された点灯時間において、設定された映像を表示する。このため、設定された点灯時間において、プロジェクタ２が表示する映像をユーザが指定することができる。
【０２０２】
（１７）コンピュータ１は、設定された点灯時間において、設定された映像に対応する映像信号を出力するように映像再生装置６を制御する。このため、映像再生装置６から複数のプロジェクタ２に映像信号を出力することにより、複数のプロジェクタ２に同じ映像を表示させることが可能となる。
【０２０３】
（１８）設定された点灯時間において映像コンテンツを繰り返し提示するか否かが設定され、映像コンテンツを繰り返し提示することが設定されている場合には、設定された点灯時間において、設定された映像が繰り返し再生されて表示される。このため、設定された点灯時間内に映像の再生が終了した場合であっても、映像コンテンツを再度提示することができる。
【０２０４】
（１９）ランプ２１の点灯開始時において、点灯を開始したランプ２１の照度が安定するまでの間、所定の映像を表示し、ランプ２１の照度が安定した後に、表示する映像を切り替えることが設定される。従って、このような設定に基づき、点灯を開始したランプ２１の照度が安定するまでの間は、商品及びサービスの宣伝や施設の紹介を目的としない映像を表示し、ランプ２１の照度が安定した後に、商品及びサービスの宣伝や施設の紹介を目的とする映像に切り替えることができる。その結果、ランプ２１の照度が安定しない状態において、商業目的の映像コンテンツが提示されないようにすることができる。
【０２０５】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【０２０６】
・上記第１の実施形態において、ランプ２１を切り替える時間間隔が設定されずに、ランプ２１を切り替えるタイミング（時刻）が設定されることにより、ランプ２１の点灯時間が設定されるように構成してもよい。即ち、第１の実施形態において、操作部５１が操作されることにより、第２の実施形態と同様に、ランプ２１を点灯させるタイミングが設定され、制御部５４が、設定されたタイミングに基づいて、ランプ２１を切り替えて点灯させる制御を行うように構成してもよい。
【０２０７】
このように構成すれば、ランプ２１の点灯パターンをより一層柔軟に設定することができ、ランプ２１の点灯パターンを、ユーザが所望するタイミングでランプ２１が点灯する点灯パターンとすることができる。
【０２０８】
・上記第１の実施形態において、第２の実施形態と同様に、ランプ２１の点灯開始時において、点灯を開始したランプ２１の照度が安定するまでの間は、所定の映像を表示し、ランプ２１の照度が安定した後に、表示する映像を切り替えるようにプロジェクタ２を構成してもよい。このように構成すれば上記（１１）と同様の効果を得ることができる。
【０２０９】
・上記第２の実施形態において、ランプ２１を切り替えるタイミング（時刻）が設定されずに、ランプ２１を切り替える時間間隔が設定されることにより、ランプ２１の点灯時間が設定されるように構成してもよい。
【０２１０】
・上記第２の実施形態において、第１の実施形態と同様に、切り替えられて点灯するランプ２１の点灯パターンの少なくとも一部を、繰り返しパターンとして繰り返すか否かが設定され、制御部５４が、繰り返しパターンが繰り返されるように、ランプ２１を切り替えて点灯させる制御を行うようにプロジェクタ２を構成してもよい。このように構成すれば上記（６）と同様の効果を得ることができる。
【０２１１】
また、第１の実施形態と同様に、繰り返しパターンが繰り返される繰り返し回数が設定され、制御部５４が、繰り返し回数だけ繰り返しパターンが繰り返されるように、ランプ２１を切り替えて点灯させる制御を行うようにプロジェクタ２を構成してもよい。このように構成すれば上記（７）と同様の効果を得ることができる。
【０２１２】
・上記実施形態においては、ランプ２１を切り替える時間間隔及びランプ２１を切り替えるタイミングのいずれかが設定されることにより、ランプ２１の点灯時間が設定されるが、ランプ２１を切り替える時間間隔及びランプ２１を切り替えるタイミングの双方が設定可能に構成されていることが好ましい。このような構成によれば、ランプ２１の点灯時間の設定方法として、ランプ２１を切り替える時間間隔及びランプ２１を切り替えるタイミングのいずれかをユーザが選択できる。このため、柔軟にランプ２１の点灯時間を設定できるため、ユーザによる点灯時間の設定の利便性を向上させることができる。
【０２１３】
・光路切替装置２４を設けずに、例えばプリズムブロックを設けることにより、第１のランプ２１ａから出射された光、及び第２のランプ２１ｂから出射された光の双方を、プリズムブロックにおいて反射させて、映像生成部２５へ導くように構成してもよい。即ち、複数のランプ２１が発する光の光学経路において、映像生成部２５及び投写レンズ２６を共用するために、光路を切り替える装置は必ずしも必要ではない。
【０２１４】
また、複数のランプ２１が発する光の光学経路は、択一的に選択されなくてもよく、ランプ２１が交互に点灯しなくてもよい。即ち、光路を切り替える装置を設けずに、上述のごとくプリズムブロックを設けて、複数のランプ２１（即ち、第１のランプ２１ａ及び第２のランプ２１ｂ）を同時に点灯させることにより、複数のランプ２１から同時に出射された光が、映像生成部２５へ導かれるように構成してもよい。このように構成すれば、１つのランプ２１が点灯する場合に比べて、映像の照度を向上させることができる。
【０２１５】
・プロジェクタ２が備えるランプ２１は２つに限られず、３つ以上のランプ２１をプロジェクタ２が備えていてもよい。従って、プロジェクタ２は複数のランプ２１を備えていればよい。この場合、上述のごとく、複数のランプ２１のうち幾つかのランプ２１は同時に点灯しもてよい。
【０２１６】
・プロジェクタ２の操作部５１は、プロジェクタ２に対応する遠隔操作装置に設けられた操作部であってもよい。即ち、プロジェクタ２が、遠隔操作装置であるリモコンを備え、このリモコンに設けられたボタン等が操作部５１として構成されていてもよい。
【０２１７】
・映像信号出力部１３、制御信号入出力部１６、映像信号入力部４１、制御信号入出力部５３、及び制御信号入出力部６４は、必ずしもケーブル等が接続される端子により構成される必要はなく、例えばアンテナを備えた無線通信モジュールにより構成されていてもよい。即ち、コンピュータ１−プロジェクタ２間、コンピュータ１−映像再生装置６間、及びプロジェクタ２−映像再生装置６間の信号の入出力手段は有線であっても無線であってもよい。
【０２１８】
・コンピュータ１−プロジェクタ２間、またはプロジェクタ２−映像再生装置６間において入出力される信号は映像信号だけに限られず、映像信号とともに音声信号もプロジェクタ２に入力されるように構成してもよく、プロジェクタ２に内蔵される音声出力装置であるスピーカ（不図示）を用いて音声が再生されるように構成してもよい。また、音声はその他の音声出力装置を用いて再生してもよい。即ち、本発明は、映像コンテンツのみを含むデジタルサイネージだけでなく、映像コンテンツと音声コンテンツとを含むデジタルサイネージにおいても有効に利用することができる。
【符号の説明】
【０２１９】
１…コンピュータ（制御装置）、２…プロジェクタ（投写型映像表示装置）、６…映像再生装置（映像信号出力装置）、１１…制御部、１２…記憶部、１３…映像信号出力部、１４…操作部、１５…表示部、１６…制御信号入出力部、２０…ランプユニット、２１…ランプ（光源）、２１ａ…第１のランプ、２１ｂ…第２のランプ、２２…制御部、２３…記憶部、２４…光路切替装置、２５…映像生成部、２６…投写レンズ、３１…電源部、３２…リレー、４１…映像信号入力部、４２…映像信号処理部、５１…操作部、５２…記憶部、５３…制御信号入出力部、５４…制御部、６１…記憶部、６２…映像信号出力部、６３…制御部、６４…制御信号入出力部。
【図１】
2011050018.tif 000003
【図２】
2011050018.tif 000004
【図３】
2011050018.tif 000005
【図４】
2011050018.tif 000006
【図５】
2011050018.tif 000007
【図６】
2011050018.tif 000008
【図７】
2011050018.tif 000009
【図８】
2011050018.tif 000010
【図９】
2011050018.tif 000011
【図１０】
2011050018.tif 000012
【図１１】
2011050018.tif 000013
【図１２】
2011050018.tif 000014
【図１３】
2011050018.tif 000015
【図１４】
2011050018.tif 000016
【図１５】
2011050018.tif 000017
【図１６】
2011050018.tif 000018
【図１７】
2011050018.tif 000019
【図１８】
2011050018.tif 000020